(57)【要約】  本開示は、信号伝送方法、装置、および端末に関し、該方法は、時間領域において、複数の上りチャネルに重複シンボルが存在する場合、ユーザ機器ＵＥは、複数の上りチャネルの送信方式を確定することと、確定した送信方式に従って、上りチャネルで運ばれる上り信号を送信することとを含む。本開示の態様によれば、様々な優先度のトラフィック信号を同時に送信する場合の多重化態様を提供し、低遅延および高信頼性が求められる情報の遅延および信頼性指標を改善することができる。【選択図】図１
2021524194.tif 000002
【特許請求の範囲】
【請求項１】
時間領域において、複数の上りチャネルに重複シンボルが存在する場合、ユーザ機器ＵＥは、複数の上りチャネルの送信方式を確定することと、
確定した送信方式に従って、上りチャネルで運ばれる上り信号を送信することとを含む、
信号伝送方法。
【請求項２】
上りチャネルの開始シンボル時間と、
上りチャネル数と、
上りチャネルベアラ情報に対応するトラフィックタイプと、
上りチャネルベアラ情報のビット数と、
上りチャネルベアラ情報の時間領域の長さと、
上りチャネルベアラ情報のトリガ時間と、
の少なくとも１種に基づき、前記複数の上りチャネルの送信方式を確定する、
請求項１に記載の信号伝送方法。
【請求項３】
前記複数の上りチャネルは、少なくとも１つの上り制御チャネルＰＵＣＣＨおよび少なくとも１つの上りデータチャネルＰＵＳＣＨを含み、または、
前記複数の上りチャネルは複数のＰＵＣＣＨを含み、または、
前記複数の上りチャネルは複数のＰＵＳＣＨを含む、
請求項１に記載の信号伝送方法。
【請求項４】
前記複数の上りチャネルは、１つのＰＵＣＣＨおよび１つのＰＵＳＣＨを含み、
時間領域において、前記１つのＰＵＣＣＨおよび前記１つのＰＵＳＣＨに重複シンボルが存在し、かつ、開始シンボルが異なり、上り制御情報ＵＣＩに１〜２ビットのＨＡＲＱ−ＡＣＫメッセージのみが含まれている場合、前記ＨＡＲＱ−ＡＣＫメッセージをＰＵＳＣＨに載せて送信する、
請求項３に記載の信号伝送方法。
【請求項５】
前記ＵＣＩはパンクチャリングの方式でＰＵＳＣＨにおいて送信される、
請求項４に記載の信号伝送方法。
【請求項６】
前記複数の上りチャネルは１つのＰＵＣＣＨおよび１つのＰＵＳＣＨを含み、時間領域において、前記１つのＰＵＣＣＨおよび前記１つのＰＵＳＣＨに重複シンボルが存在し、かつ、開始シンボルが異なり、ＵＣＩに１〜２ビットのＨＡＲＱ−ＡＣＫメッセージのみが含まれている場合、前記ＨＡＲＱ−ＡＣＫメッセージのＰＵＳＣＨでの伝送が占有するリソース数は閾値Ｘ１以下である場合、前記ＨＡＲＱ−ＡＣＫメッセージをＰＵＳＣＨに載せて送信し、そうでなければ、前記ＨＡＲＱ−ＡＣＫメッセージを上り制御チャネルＰＵＣＣＨに載せて送信する、
請求項３に記載の信号伝送方法。
【請求項７】
前記複数の上りチャネルは１つのＰＵＣＣＨおよび１つのＰＵＳＣＨを含み、前記１つのＰＵＣＣＨおよび前記１つのＰＵＳＣＨの開始シンボルが異なり、かつ、ＵＣＩに２ビットよりも大きなＨＡＲＱ−ＡＣＫメッセージのみが含まれている場合、前記ＨＡＲＱ−ＡＣＫメッセージを１ビットまたは２ビットとしてバンドリングしてＰＵＳＣＨに載せて送信し、または、ＰＵＣＣＨを送信し、ＰＵＳＣＨの送信を廃棄する、
請求項３に記載の信号伝送方法。
【請求項８】
前記複数の上りチャネルは１つのＰＵＣＣＨおよび１つのＰＵＳＣＨを含み、前記１つのＰＵＣＣＨおよび前記１つのＰＵＳＣＨの開始シンボルが異なり、かつ、ＰＵＣＣＨで運ばれるＵＣＩがＨＡＲＱ−ＡＣＫメッセージ、および／またはＣＳＩメッセージ、および／またはＳＲメッセージを同時に含む場合、ＰＵＣＣＨを送信し、ＰＵＳＣＨの送信を廃棄する、
請求項３に記載の信号伝送方法。
【請求項９】
ＵＣＩをＰＵＳＣＨで送信する場合、ＵＣＩマッピングに使用可能なシンボルは、ＰＵＣＣＨとＰＵＳＣＨとの重複シンボルのうちの非ＤＭＲＳシンボルとして定義される、
請求項４、６、７のいずれか１項に記載の信号伝送方法。
【請求項１０】
ＵＣＩをＰＵＳＣＨで送信する場合、
前記ＰＵＣＣＨの開始シンボルが前記ＰＵＳＣＨの開始シンボルに等しいか、または前記ＰＵＳＣＨの開始シンボルよりもＸ１個のシンボルだけ早く、Ｘ１は１以上１４よりも小さな整数であるという条件と、
前記ＰＵＣＣＨに含まれる時間領域のシンボル数がＰＵＳＣＨに含まれる時間領域のシンボル数以下であるという条件と、
前記ＰＵＣＣＨとＰＵＳＣＨとの重複シンボル数が１つの予め設定された固定値Ｘ２よりも大きいか、または前記ＰＵＣＣＨとＰＵＳＣＨとの重複シンボルのうちの非ＤＭＲＳシンボルの数が１つの予め設定された固定値Ｘ３よりも大きいという条件と、
前記ＰＵＳＣＨに含まれる時間領域のシンボル数が１つの予め設定された固定値Ｘ４よりも大きいという条件と、
の少なくとも１つをさらに満たすべきであり、
Ｘ１、Ｘ２、Ｘ３、Ｘ４はいずれも１以上１４よりも小さい整数である、
請求項４、６、７のいずれか１項に記載の信号伝送方法。
【請求項１１】
前記ＵＣＩメッセージをＰＵＣＣＨで送信する場合、
前記ＰＵＣＣＨに含まれる時間領域のシンボル数がＰＵＳＣＨに含まれる時間領域のシンボル数以下であるという条件と、
前記ＰＵＣＣＨの開始シンボルが前記ＰＵＳＣＨの開始シンボルよりも遅いという条件と、
前記ＰＵＣＣＨに対応するトラフィックタイプが前記ＰＵＳＣＨに対応するトラフィックタイプよりも優先度が高いという条件と、
ＰＵＣＣＨの送信に使用される周波数領域リソースがＰＵＳＣＨの周波数領域リソースまたはＰＵＳＣＨの周波数領域リソースのサブセットであるという条件と、
の少なくとも１つをさらに満たすべきである、
請求項６、７、８のいずれか１項に記載の信号伝送方法。
【請求項１２】
前記ＰＵＣＣＨの周波数ホッピングがイネーブルされる場合、ＰＵＣＣＨに使用される周波数領域リソースはＰＵＳＣＨの周波数領域リソース内の上下両側のリソースに位置する、
請求項１１に記載の信号伝送方法。
【請求項１３】
前記複数の上りチャネルは複数のＰＵＣＣＨおよび１つのＰＵＳＣＨを含み、時間領域において、前記複数のＰＵＣＣＨおよび前記１つのＰＵＳＣＨに重複シンボルが存在し、前記複数のＰＵＣＣＨのうちの少なくとも１つを送信し、ＰＵＳＣＨの送信を廃棄する、
請求項３に記載の信号伝送方法。
【請求項１４】
前記複数のＰＵＣＣＨのうち、少なくとも１つのＰＵＣＣＨのシンボル数はＰＵＳＣＨのシンボル数以下である、
請求項１３に記載の信号伝送方法。
【請求項１５】
前記ＰＵＣＣＨベアラ情報に対応するトラフィックタイプは、前記ＰＵＳＣＨベアラ情報に対応するトラフィックタイプよりも優先度が高い、
請求項４、６、７、８、１３のいずれか１項に記載の信号伝送方法。
【請求項１６】
ユーザ機器ＵＥは、ｔ１期間に第１トラフィックタイプのＰＵＳＣＨの上りスケジューリングを受信し、ｔ２期間に第２トラフィックタイプのＰＤＳＣＨを受信するまたはｔ２期間に第２トラフィックタイプのＰＤＳＣＨのスケジューリングを受信し、前記ＰＤＳＣＨに対応するＨＡＲＱ−ＡＣＫメッセージおよび前記上りスケジューリングに対応するＰＵＳＣＨは、いずれもｔｎ期間に送信される必要がある、
請求項１に記載の信号伝送方法。
【請求項１７】
ｔ１期間がｔ２期間の後に位置するまたは両者が等しい場合、ＵＥは、予め設定された第１送信方式に従って、ｔｎ期間にＰＤＳＣＨに対応するＨＡＲＱ−ＡＣＫメッセージおよび前記上りスケジューリングに対応するＰＵＳＣＨを送信する、
請求項１６に記載の信号伝送方法。
【請求項１８】
ｔ１期間がｔ２期間の前に位置する場合、ＵＥは、予め設定された第２送信方式に従って、ｔｎ期間にＰＤＳＣＨに対応するＨＡＲＱ−ＡＣＫメッセージおよび前記上りスケジューリングに対応するＰＵＳＣＨを送信する、
請求項１６に記載の信号伝送方法。
【請求項１９】
前記第１トラフィックタイプの優先度と前記第２トラフィックタイプの優先度とは異なる、
請求項１６に記載の信号伝送方法。
【請求項２０】
前記第１送信方式は、
前記ＨＡＲＱ−ＡＣＫメッセージを、パンクチャリングの方式で前記第１トラフィックタイプの上りデータに多重化する方式１、または、
前記ＨＡＲＱ−ＡＣＫメッセージを、レートマッチングの方式で前記第１トラフィックタイプの上りデータに多重化する方式２、
の少なくとも１種を含む、
請求項１７に記載の信号伝送方法。
【請求項２１】
前記第１送信方式は方式１および方式２を含み、
ＨＡＲＱ−ＡＣＫメッセージが１〜２ビットのメッセージである場合、方式１を用いて伝送し、
ＨＡＲＱ−ＡＣＫメッセージが２ビットよりも大きなメッセージである場合、方式２を用いて伝送する、
請求項１７に記載の信号伝送方法。
【請求項２２】
前記第２送信方式は、
前記ＨＡＲＱ−ＡＣＫメッセージと前記第１トラフィックタイプの上りデータとの重複シンボルで、前記ＨＡＲＱ−ＡＣＫメッセージを送信し、前記重複シンボルにおける第１トラフィックタイプの上りデータを廃棄することを含む、
請求項１８に記載の信号伝送方法。
【請求項２３】
時間領域において、１つのＰＵＳＣＨおよび２つのＰＵＣＣＨに重複シンボルが存在し、少なくとも１つのＰＵＣＣＨにおけるＵＣＩはＰＵＳＣＨで運ばれる、
請求項１に記載の信号伝送方法。
【請求項２４】
ＰＵＳＣＨ領域を２つの領域に分け、第１領域および第２領域と定義し、２つのＰＵＣＣＨで運ばれるＵＣＩを、それぞれＰＵＳＣＨの２つの領域内に多重化して送信する、
請求項２３に記載の信号伝送方法。
【請求項２５】
第１および第２領域内で第１予め定義されたリソースおよび第２予め定義されたリソースをそれぞれ定義し、第１予め定義されたリソースは１または２ビットのＵＣＩによって決定され、第２予め定義されたリソースは２ビットのＵＣＩによって決定される、
請求項２４に記載の信号伝送方法。
【請求項２６】
ＰＵＳＣＨで予め定義されたリソースを定義し、予め定義されたリソースはＮビットのＵＣＩによって決定され、Ｎ＝２またはＮ＝３またはＮ＝４である、
請求項２３に記載の信号伝送方法。
【請求項２７】
前記Ｎは、
Ｎ＝２である場合、そのうちの１ビットが第１トラフィックタイプのＨＡＲＱ−ＡＣＫで、１ビットが第２トラフィックタイプのＨＡＲＱ−ＡＣＫであり、または、２ビットがいずれも第１トラフィックタイプのＨＡＲＱ−ＡＣＫであることと、
Ｎ＝３である場合、そのうちの１ビットが第１トラフィックタイプのＨＡＲＱ−ＡＣＫで、２ビットが第２トラフィックタイプのＨＡＲＱ−ＡＣＫであり、または、前記Ｎ＝２であり、２ビットが第１トラフィックタイプのＨＡＲＱ−ＡＣＫで、１ビットが第２トラフィックタイプのＨＡＲＱ−ＡＣＫであることと、
Ｎ＝４である場合、そのうちの２ビットが第１トラフィックタイプのＨＡＲＱ−ＡＣＫで、２ビットが第２トラフィックタイプのＨＡＲＱ−ＡＣＫであることと、
の少なくとも１つを満たすべきであり、
第１トラフィックタイプは、第２トラフィックタイプよりも優先度が高い、
請求項２６に記載の信号伝送方法。
【請求項２８】
前記ＰＵＣＣＨで運ばれるＵＣＩに対応するトラフィックタイプは異なる、
請求項２３に記載の信号伝送方法。
【請求項２９】
ユーザ機器ＵＥに設けられた信号伝送装置であって、
時間領域において、複数の上りチャネルに重複シンボルが存在する場合、複数の上りチャネルの送信方式を確定するように構成されるチャネル重複制御ユニットと、
確定した送信方式に従って、上りチャネルで運ばれる上り信号を送信するように構成される送信ユニットとを備える、
信号伝送装置。
【請求項３０】
メモリ、プロセッサ、および前記メモリに記憶されて前記プロセッサで実行可能なコンピュータプログラムを備え、
前記プロセッサによって前記コンピュータプログラムが実行されると、請求項１〜２８のいずれか１項に記載の方法の処理が実現される、
端末。
【請求項３１】
プロセッサによって実行されると、請求項１〜２８のいずれか１項に記載の方法の処理を実現するコンピュータプログラムが記憶されている、
コンピュータ可読記憶媒体。
【発明の詳細な説明】
【技術分野】
【０００１】
本開示は、データ通信分野に関し、特に、信号伝送方法、装置、および端末に関する。
【背景技術】
【０００２】
ＬＴＥ（Ｌｏｎｇ  Ｔｅｒｍ  Ｅｖｏｌｕｔｉｏｎ）／ＬＴＥ−Ａ（ＬＴＥ−Ａｄｖａｎｃｅｄ）システム、および次世代、すなわち第５世代移動通信システム（５Ｇ）において、上り制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）は、主に上り制御情報（ＵＣＩ、Ｕｐｌｉｎｋ  Ｃｏｎｔｒｏｌ  Ｉｎｆｏｒｍａｔｉｏｎ）を運ぶために用いられ、下りデータに対するハイブリッド自動再送要求確認情報（ＨＡＲＱ−ＡＣＫ、Ｈｙｂｒｉｄ  Ａｕｔｏｍａｔｉｃ  Ｒｅｐｅａｔ  ｒｅｑｕｅｓｔ  Ａｃｋｎｏｗｌｅｄｇｅｍｅｎｔ）、チャネル状態情報（ＣＳＩ、Ｃｈａｎｎｅｌ  Ｓｔａｔｅ  Ｉｎｆｏｒｍａｔｉｏｎ）、スケジューリング要求（ＳＲ、Ｓｃｈｅｄｕｌｉｎｇ  Ｒｅｑｕｅｓｔ）等を含む。上りトラフィックチャネル（ＰＵＳＣＨ、Ｐｈｙｓｉｃａｌ  Ｕｐｌｉｎｋ  Ｓｈａｒｅｄ  Ｃｈａｎｎｅｌ）は、主に上りデータ伝送を運ぶために用いられる。
【０００３】
ユーザ端末がＰＵＣＣＨとＰＵＳＣＨチャネルとを同時に送信する必要がある場合、基地局にＰＵＣＣＨとＰＵＳＣＨとの同時送信が設定され、かつユーザ端末がこれをサポートできると、ユーザ端末はＰＵＣＣＨとＰＵＳＣＨとを同時に送信し、ユーザ端末が同時送信をサポートする能力を有せず、または同時送信をサポートする能力を有するが、基地局に同時送信が設定されていないと、上り制御情報をＰＵＳＣＨチャネルにて送信する必要がある。
【０００４】
ＬＴＥの後続の進化システムおよび５Ｇシステムにおいて、エンハンスメント型モバイルブロードバンド（ｅＭＢＢ、Ｅｎｈａｎｃｅ  Ｍｏｂｉｌｅ  Ｂｒｏａｄｂａｎｄ）、超高信頼低遅延（ＵＲＬＬＣ、Ｕｌｔｒａ−Ｒｅｌｉａｂｌｅ  Ｌｏｗ  ｌａｔｅｎｃｙ  Ｃｏｍｍｕｎｉｃａｔｉｏｎ）、大規模なマシンタイプ通信（ｍＭＴＣ、ｍａｓｓｉｖｅ  Ｍａｃｈｉｎｅ  Ｔｙｐｅ  ｏｆ  Ｃｏｍｍｕｎｉｃａｔｉｏｎ）等のような様々なトラフィックシナリオがサポートされる。
【０００５】
ここで、産業自動化、ＩｏＶ（Ｉｎｔｅｒｎｅｔ  ｏｆ  Ｖｅｈｉｃｌｅｓ）、遠隔制御、スマートグリッド、仮想現実等のようなＵＲＬＬＣトラフィックに対応する優先度は比較的高い。そのため、異なるタイプ、異なる優先度の複数種のトラフィックが同時に送信されるシーンが存在する。例えば、ＰＵＳＣＨで運ばれるデータがｅＭＢＢトラフィックである一方、ＵＲＬＬＣ制御情報を運ぶＰＵＣＣＨチャネルの送信が同時に存在する。この場合、従来のＵＣＩのＰＵＳＣＨチャネルにおけるマッピング規則は適用されなくなる。そのため、異なる優先度の信号を運ぶ２つまたは複数のチャネルに対して効果的な多重化を行う態様が必要となる。
【０００６】
それと同時に、５Ｇシステムにおいて、ＰＵＳＣＨおよびＰＵＣＣＨの、１つの伝送時間単位内（例えば、１つのスロットｓｌｏｔ）での開始点および長さを動的に調整でき、ＰＵＳＣＨおよびＰＵＣＣＨの一部が重なっている場合があり、チャネルの開始点が異なると、長さも異なる。この場合、従来の伝送態様を効果的にサポートすることができない。
【発明の概要】
【発明が解決しようとする課題】
【０００７】
上記問題を解決するために、本開示は、低遅延および高信頼性が求められる情報の遅延および信頼性指標を改善することができる信号伝送方法、装置、および端末を提供する。
【課題を解決するための手段】
【０００８】
本開示は、
時間領域において、複数の上りチャネルに重複シンボルが存在する場合、ユーザ機器ＵＥは、複数の上りチャネルの送信方式を確定することと、
確定した送信方式に従って、上りチャネルで運ばれる上り信号を送信することと、
を含む信号伝送方法を提供する。
【０００９】
本開示は、ユーザ機器ＵＥに設けられた信号伝送装置であって、
時間領域において、複数の上りチャネルに重複シンボルが存在する場合、複数の上りチャネルの送信方式を確定するように構成されるチャネル重複制御ユニットと、
確定した送信方式に従って、上りチャネルで運ばれる上り信号を送信するように構成される送信ユニットと、
を備える信号伝送装置を更に提供する。
【００１０】
本開示は、メモリ、プロセッサ、および前記メモリに記憶されて前記プロセッサで実行可能なコンピュータプログラムを備え、前記プロセッサによって前記コンピュータプログラムが実行されると、本開示に記載のいずれかの信号伝送方法の処理が実現される端末を更に提供する。
【００１１】
本開示は、プロセッサによって実行されると、本開示に記載のいずれかの信号伝送方法の処理を実現するコンピュータプログラムが記憶されているコンピュータ可読記憶媒体を更に提供する。
【発明の効果】
【００１２】
関連技術と比べ、本開示に係る技術案は、時間領域において、複数の上りチャネルに重複シンボルが存在する場合、ユーザ機器ＵＥは、複数の上りチャネルの送信方式を確定することと、確定した送信方式に従って、上りチャネルで運ばれる上り信号を送信することとを含む。本開示の態様によれば、様々な優先度のトラフィック信号を同時に送信する場合の多重化態様を提供し、低遅延および高信頼性が求められる情報の遅延および信頼性指標を改善することができる。
【図面の簡単な説明】
【００１３】
以下、本開示の実施例における図面について説明し、実施例における図面は、本開示を更に理解するためのものであり、明細書と共に本開示を解釈するために用いられ、本開示の保護範囲を限定するものではない。
【００１４】
【図１】本開示の実施例に係る信号伝送方法のフローチャートである。
【図２Ａ】図２Ａは本開示の実施例に係る端末がｅＭＢＢ  ＰＵＳＣＨとＵＲＬＬＣ  ＨＡＲＱ−ＡＣＫとを同時に送信する場合の模式図である。
【図２Ｂ】図２Ｂは本開示の実施例に係る端末がｅＭＢＢ  ＰＵＳＣＨとＵＲＬＬＣ  ＨＡＲＱ−ＡＣＫとを同時に送信する場合の模式図である。
【図３】本開示の実施例に係る端末がｅＭＢＢ  ＰＵＳＣＨとｅＭＢＢ  ＨＡＲＱ−ＡＣＫとＵＲＬＬＣ  ＨＡＲＱ−ＡＣＫとを同時に送信する場合の模式図である。
【図４】本開示の実施例に係る端末がｅＭＢＢ  ＰＵＳＣＨとｅＭＢＢ  ＨＡＲＱ−ＡＣＫとＵＲＬＬＣ  ＨＡＲＱ−ＡＣＫとを同時に送信する場合の模式図である。
【図５Ａ】図５Ａは本開示の実施例に係る端末がＰＵＳＣＨとＰＵＣＣＨとを同時に送信する模式図である。
【図５Ｂ】図５Ｂは本開示の実施例に係る端末がＰＵＳＣＨとＰＵＣＣＨとを同時に送信する模式図である。
【図５Ｃ】図５Ｃは本開示の実施例に係る端末がＰＵＳＣＨとＰＵＣＣＨとを同時に送信する模式図である。
【図５Ｄ】図５Ｄは本開示の実施例に係る端末がＰＵＳＣＨとＰＵＣＣＨとを同時に送信する模式図である。
【図６】本開示の実施例に係る別の端末がＰＵＳＣＨとＰＵＣＣＨとを同時に送信する模式図である。
【図７Ａ】図７Ａは本開示の実施例に係る端末がＰＵＳＣＨとＰＵＣＣＨとを同時に送信する模式図である。
【図７Ｂ】図７Ｂは本開示の実施例に係る端末がＰＵＳＣＨとＰＵＣＣＨとを同時に送信する模式図である。
【図７Ｃ】図７Ｃは本開示の実施例に係る端末がＰＵＳＣＨとＰＵＣＣＨとを同時に送信する模式図である。
【図８】本開示の実施例に係る端末がＰＵＳＣＨとＰＵＣＣＨとを同時に送信する模式図である。
【図９】本開示の実施例に係る端末がｅＭＢＢ  ＰＵＳＣＨとｅＭＢＢ  ＰＵＣＣＨとＵＲＬＬＣ  ＰＵＣＣＨとを同時に送信する模式図である。
【図１０】本開示の実施例に係る端末がｅＭＢＢ  ＰＵＣＣＨとＵＲＬＬＣ  ＰＵＳＣＨとを同時に送信する模式図である。
【図１１】２つのＰＵＣＣＨの送信が時間領域において衝突する模式図である。
【図１２】本開示の実施例に係る１ｍｓのＰＵＣＣＨ／ＰＵＳＣＨおよび複数グループのｓｕｂｓｌｏｔ  ＰＵＣＣＨの模式図である。
【図１３】本開示の実施例に係る１ｍｓのＰＵＣＣＨの繰り返しと複数グループのｓｕｂｓｌｏｔ  ＰＵＣＣＨの繰り返しとが衝突する模式図である。
【図１４】本開示の実施例に係る１ｍｓのＰＵＣＣＨ／ＰＵＳＣＨとｓｕｂｓｌｏｔ  ＰＵＣＣＨの繰り返しとが衝突する模式図である。
【図１５】本開示の実施例に係る１ｍｓのＰＵＣＣＨの繰り返しとＳＰＵＣＣＨ／ＳＰＵＳＣＨとが衝突するインスタンスで、上位層が廃棄したパラメータが２である模式図である。
【発明を実施するための形態】
【００１５】
当業者が理解しやすいようにするために、以下、図面を参照しながら本開示について更に説明し、本開示の保護範囲を限定するものではない。なお、矛盾しない限り、本願における実施例と実施例における特徴は、互いに任意に組み合わせることができる
【００１６】
図１に示すように、本開示は、以下のステップを含む信号伝送方法を提出する。
【００１７】
ステップ１１０では、時間領域において、複数の上りチャネルに重複シンボルが存在する場合、ユーザ機器ＵＥは複数の上りチャネルの送信方式を確定する。
【００１８】
ステップ１２０では、ＵＥは、確定した送信方式に従って、上りチャネルで運ばれる上り信号を送信する。
【００１９】
本開示は、時間領域において、１つのＰＵＣＣＨおよび１つのＰＵＳＣＨに重複シンボルが存在し、かつ、開始シンボルが異なるシーンに適用され、以下のステップを含む信号伝送方法を提出する。
【００２０】
ステップ２１０では、上り制御情報ＵＣＩにＨＡＲＱ−ＡＣＫメッセージのみが含まれているか否かを確定し、ＹＥＳであれば、ステップ２２１を実行し、ＮＯであれば、ステップ２４１を実行する。
【００２１】
ステップ２２１では、前記ＨＡＲＱ−ＡＣＫメッセージの長さが１〜２ビットであるか否かを確定し、ＹＥＳであれば、２２２または２２３を実行し、ＮＯであれば、ステップ２３１を実行する。
【００２２】
一例において、ステップ２２１の後にステップ２２２を含み、上り制御情報ＵＣＩに１〜２ビットのＨＡＲＱ−ＡＣＫメッセージのみが含まれている場合、前記ＨＡＲＱ−ＡＣＫメッセージをＰＵＳＣＨに載せて送信する。
【００２３】
ここで、前記ＵＣＩはパンクチャリングの方式でＰＵＳＣＨにおいて送信される。
【００２４】
別の例において、ステップ２２１の後にステップ２２３を含み、前記ＨＡＲＱ−ＡＣＫメッセージのＰＵＳＣＨでの伝送が占有するリソース数を確定する。
【００２５】
ステップ２２４では、前記ＨＡＲＱ−ＡＣＫメッセージのＰＵＳＣＨでの伝送が占有するリソース数は閾値Ｘ１以下である場合、前記ＨＡＲＱ−ＡＣＫメッセージをＰＵＳＣＨに載せて送信する。
【００２６】
ステップ２２５において、前記ＨＡＲＱ−ＡＣＫメッセージのＰＵＳＣＨでの伝送が占有するリソース数は閾値Ｘ１よりも大きい場合、前記ＨＡＲＱ−ＡＣＫメッセージを上り制御チャネルＰＵＣＣＨに載せて送信する。
【００２７】
ステップ２３１では、ＵＣＩに２ビットよりも大きなＨＡＲＱ−ＡＣＫメッセージのみが含まれている場合、方式１−１または方式１−２に従って前記１つのＰＵＣＣＨおよび１つのＰＵＳＣＨを送信する。
【００２８】
方式１−１、前記ＨＡＲＱ−ＡＣＫメッセージを１ビットまたは２ビットとしてバンドリングし、ＰＵＳＣＨに載せて送信する。
【００２９】
方式１−２、ＰＵＣＣＨを送信し、ＰＵＳＣＨの送信を廃棄する。
【００３０】
ステップ２４１では、ＰＵＣＣＨで運ばれるＵＣＩがＨＡＲＱ−ＡＣＫメッセージ、および／またはＣＳＩメッセージ、および／またはＳＲメッセージを同時に含む場合、ＰＵＣＣＨを送信し、ＰＵＳＣＨの送信を廃棄する。
【００３１】
ここで、ＵＣＩをＰＵＳＣＨで送信する場合、ＵＣＩマッピングに使用可能なシンボルは、ＰＵＣＣＨとＰＵＳＣＨとの重複シンボルのうちの非ＤＭＲＳシンボルとして定義される。
【００３２】
ここで、ＵＣＩをＰＵＳＣＨで送信する場合、
前記ＰＵＣＣＨの開始シンボルが前記ＰＵＳＣＨの開始シンボルに等しいか、または前記ＰＵＳＣＨ開始のシンボルよりもＸ１個のシンボルだけ早く、Ｘ１は１以上１４よりも小さな整数であるという条件と、
前記ＰＵＣＣＨに含まれる時間領域のシンボル数がＰＵＳＣＨに含まれる時間領域のシンボル数以下であるという条件と、
前記ＰＵＣＣＨとＰＵＳＣＨとの重複シンボル数が１つの予め設定された固定値Ｘ２よりも大きいか、または前記ＰＵＣＣＨとＰＵＳＣＨとの重複シンボルのうちの非ＤＭＲＳシンボルの数が１つの予め設定された固定値Ｘ３よりも大きいという条件と、
前記ＰＵＳＣＨに含まれる時間領域のシンボル数が１つの予め設定された固定値Ｘ４よりも大きいという条件と、
の少なくとも１つをさらに満たすべきである。
【００３３】
ここで、Ｘ１、Ｘ２、Ｘ３、Ｘ４はいずれも１以上１４よりも小さな整数である
【００３４】
ここで、前記ＵＣＩメッセージをＰＵＣＣＨで送信する場合、
前記ＰＵＣＣＨに含まれる時間領域のシンボル数がＰＵＳＣＨに含まれる時間領域のシンボル数以下であるという条件と、
前記ＰＵＣＣＨの開始シンボルが前記ＰＵＳＣＨの開始シンボルよりも遅いという条件と、
前記ＰＵＣＣＨに対応するトラフィックタイプが前記ＰＵＳＣＨに対応するトラフィックタイプよりも優先度が高いという条件と、
ＰＵＣＣＨの送信に使用される周波数領域リソースがＰＵＳＣＨの周波数領域リソースまたはＰＵＳＣＨの周波数領域リソースのサブセットであるという条件と、
の少なくとも１つをさらに満たすべきである。
【００３５】
ここで、前記ＰＵＣＣＨの周波数ホッピングがイネーブルされる場合、ＰＵＣＣＨに使用される周波数領域リソースはＰＵＳＣＨの周波数領域リソース内の上下両側のリソースに位置する。
【００３６】
本開示は、時間領域において、複数のＰＵＣＣＨおよび前記１つのＰＵＳＣＨに重複シンボルが存在するシーンに適用される信号伝送方法を提出し、前記方法は以下を含む。
【００３７】
前記複数のＰＵＣＣＨのうちの少なくとも１つを送信し、ＰＵＳＣＨの送信を廃棄する。
【００３８】
ここで、前記複数のＰＵＣＣＨのうち、少なくとも１つのＰＵＣＣＨのシンボル数はＰＵＳＣＨのシンボル数以下である。
【００３９】
ここで、前記ＰＵＣＣＨベアラ情報に対応するトラフィックタイプは、前記ＰＵＳＣＨベアラ情報に対応するトラフィックタイプよりも優先度が高い。
【００４０】
本開示は、信号伝送方法を提出し、前記方法は以下を含む。
【００４１】
ステップ３０１では、ユーザ機器ＵＥは、ｔ１期間に第１トラフィックタイプのデータに関するＰＵＳＣＨのスケジューリングを受信し、前記上りスケジューリングに対応するＰＵＳＣＨは上りｔｎで送信される必要があり、ユーザ機器ＵＥは、ｔ２期間に第２トラフィックタイプのトラフィックを運ぶＰＤＳＣＨを受信し、前記ＰＤＳＣＨに対応するＨＡＲＱ−ＡＣＫフィードバックは上りスロットｔｎで送信される必要がある。
【００４２】
ステップ３０２では、ｔ１期間とｔ２期間の前後関係を確認し、ｔ１期間がｔ２期間の後に位置するまたは両者が等しい場合、ステップ３０３を実行し、ｔ１期間がｔ２期間の前に位置する場合、ステップ３０４を実行する。
【００４３】
ステップ３０３では、ｔ１期間がｔ２期間の後に位置するまたは両者が等しい場合、ＵＥは予め設定された第１送信方式に従って、ｔｎ期間にＰＤＳＣＨに対応するＨＡＲＱ−ＡＣＫフィードバックおよび上りスケジューリングに対応するＰＵＳＣＨを送信する。
【００４４】
ステップ３０４では、ｔ１期間がｔ２期間の前に位置する場合、ＵＥは予め設定された第２送信方式に従って、ｔｎ期間にＰＤＳＣＨに対応するＨＡＲＱ−ＡＣＫフィードバックおよび上りスケジューリングに対応するＰＵＳＣＨを送信する。
【００４５】
前記第１送信方式は、以下のような方式の少なくとも１種を含む。
【００４６】
方式１：前記ＨＡＲＱ−ＡＣＫメッセージを、パンクチャリングの方式で前記第１トラフィックタイプの上りデータに多重化する。
【００４７】
方式２：前記ＨＡＲＱ−ＡＣＫメッセージをレートマッチングの方式で前記第１データタイプの上りデータに多重化する。
【００４８】
方式３：前記ＨＡＲＱ−ＡＣＫメッセージの第１データタイプでの伝送が占有するリソース数は閾値Ｘ１以下である場合、パンクチャリングまたはレートマッチングの方式で第１データタイプの上りデータに多重化する。前記ＨＡＲＱ−ＡＣＫメッセージの第１データタイプでの伝送が占有するリソース数は閾値Ｘ１よりも大きい場合、前記ＨＡＲＱ−ＡＣＫメッセージを運ぶリソースと前記第１データタイプの上りデータのチャネルとの重複シンボルにおいて、前記ＨＡＲＱ−ＡＣＫメッセージを上り制御チャネルＰＵＣＣＨに載せて送信する。または、前記ＨＡＲＱ−ＡＣＫメッセージを第１データタイプで伝送する時の符号化率が閾値Ｘ２以下である場合、パンクチャリングまたはレートマッチングの方式を用いて第１データタイプの上りデータに多重化する。前記ＨＡＲＱ−ＡＣＫメッセージを第１データタイプで伝送する時の符号化率が閾値Ｘ２よりも大きい場合、前記ＨＡＲＱ−ＡＣＫメッセージを運ぶリソースと前記第１データタイプの上りデータのチャネルとの重複シンボルにおいて、前記ＨＡＲＱ−ＡＣＫメッセージを上り制御チャネルＰＵＣＣＨに載せて送信する。好ましくは、前記第１送信方式は方式１および方式２を含み、ＨＡＲＱ−ＡＣＫメッセージが１〜２ビットのメッセージである場合、方式１を用いて伝送し、ＨＡＲＱ−ＡＣＫメッセージが２ビットよりも大きなメッセージである場合、方式２を用いて伝送する。
【００４９】
本開示の実施例において、前記第２送信方式は、以下のような方式の少なくとも１種を含む。
【００５０】
方式１：前記ＨＡＲＱ−ＡＣＫメッセージを運ぶリソースと前記第１データタイプの上りデータのチャネルとの重複シンボルにおいて、前記ＨＡＲＱ−ＡＣＫメッセージを送信し、前記重複シンボルにおける第１データタイプの上りデータを廃棄する。好ましくは、前記ＨＡＲＱ−ＡＣＫメッセージを上り制御チャネルＰＵＣＣＨに載せて送信する。
【００５１】
方式２：基地局は、前記ＨＡＲＱ−ＡＣＫメッセージをスケジューリングして前記第１データタイプでない上りデータチャネルのシンボルで送信する。または、前記ＨＡＲＱ−ＡＣＫメッセージをＰＵＣＣＨまたはＰＵＳＣＨチャネルに載せて前記第１データタイプの上りデータのチャネルと時間分割多重する。
【００５２】
本開示の実施例において、前記送信ＨＡＲＱ−ＡＣＫメッセージの周波数領域リソースは、前記第１データタイプの上りデータの周波数領域リソースまたは前記第１データタイプの上りデータの周波数領域リソースのサブセットである。
【００５３】
上記実施例と同じまたは類似する概念に基づき、本開示は、信号伝送方法を更に提出し、前記方法は以下を含む。
【００５４】
ステップ２０１では、ユーザ機器ＵＥは、第１データタイプのＰＵＳＣＨの上りスケジューリングを受信し、第２データタイプのＰＤＳＣＨを受信し、および、第１データタイプのＰＤＳＣＨを受信し、ここで、前記第２データタイプのＰＤＳＣＨに対応するＵＣＩメッセージ、前記第１データタイプのＰＤＳＣＨに対応するＵＣＩメッセージ、および前記上りスケジューリングに対応するＰＵＳＣＨは、いずれも同一の期間に送信される必要がある。
【００５５】
ステップ２０２では、ＵＥは、前記ＰＵＳＣＨ領域を第１領域と第２領域とに分け、第１データタイプのＰＤＳＣＨに対応するＵＣＩを第１領域内にマッピングし、第２データタイプのＰＤＳＣＨに対応するＵＣＩメッセージを第２領域内にマッピングする。
【００５６】
以下、具体的な実施シーンを参照しながら説明する。
【００５７】
（実施例１）
図２Ａにおいて、ｅＭＢＢ上りトラフィックスケジューリングがＵＲＬＬＣ下りトラフィック伝送の後に位置する模式図が示されている。図において、基地局は下りｓｌｏｔ＃ｉ内でＵＲＬＬＣトラフィックを運ぶＰＤＳＣＨを送信し、それに対応するＨＡＲＱ−ＡＣＫフィードバックは上りスロットｓｌｏｔ＃ｎで発生して送信される。ｓｌｏｔ＃ｉ＋１において、基地局は上りｓｌｏｔ＃ｎでのＰＵＳＣＨの送信をスケジューリングし、前記ＰＵＳＣＨでｅＭＢＢデータが運ばれる。
【００５８】
ｅＭＢＢ上りトラフィックスケジューリングがＵＲＬＬＣ下りトラフィック伝送の後に位置すれば、ＵＲＬＬＣ  ＨＡＲＱ−ＡＣＫはパンクチャリングまたはレートマッチングの形式でｅＭＢＢ  ＰＵＳＣＨにマッピングされて送信される。
【００５９】
パンクチャリングまたはレートマッチング時に、パンクチャリングまたはレートマッチングのＨＡＲＱ−ＡＣＫ情報のビット数は、最初にフィードバックする必要のあるＨＡＲＱ−ＡＣＫのビット数に１つの基地局指示パラメータＢｅｔａ＿ｏｆｆｓｅｔを乗算したものである。一般的には、パンクチャリングとは、一部または全てのＰＵＳＣＨデータ情報をＨＡＲＱ−ＡＣＫ情報に置き換えることを意味し、レートマッチングとは、一部または全てのＨＡＲＱ−ＡＣＫ情報と一部または全てのＰＵＳＣＨ情報とをカスケードすることを意味する。
【００６０】
図２Ｂにおいて、ｅＭＢＢ上りトラフィックスケジューリングがＵＲＬＬＣ下りトラフィック伝送の前に位置する模式図が示されている。かつ、ｅＭＢＢ  ＰＵＳＣＨとＵＲＬＬＣ  ＨＡＲＱ−ＡＣＫの送信との時間領域位置が衝突する。
【００６１】
ｅＭＢＢ上りトラフィックスケジューリングがＵＲＬＬＣ下りトラフィック伝送の前に位置すれば、ＵＲＬＬＣ  ＨＡＲＱ−ＡＣＫはｅＭＢＢ  ＰＵＳＣＨと時間分割多重されるか、またはＵＲＬＬＣ  ＵＣＩはｅＭＢＢ  ＰＵＳＣＨと衝突するシンボルを除去する。
【００６２】
前記ｅＭＢＢ  ＰＵＳＣＨおよびＵＲＬＬＣ  ＨＡＲＱ−ＡＣＫの送信に対応する時間領域リソースが衝突し、例えば、ｅＭＢＢ  ＰＵＳＣＨとＵＲＬＬＣ  ＨＡＲＱ−ＡＣＫを運ぶＰＵＣＣＨとの開始点シンボルが同じであるが、長さが異なり、または開始点が異なるが、長さが異なり、または開始点が異なるが、長さが同じである。
【００６３】
ここで、ｅＭＢＢ  ＰＵＳＣＨおよびＵＲＬＬＣ  ＨＡＲＱ−ＡＣＫを例とするが、送信が衝突する信号がｅＭＢＢ  ＰＵＳＣＨおよびＵＲＬＬＣ  ＣＳＩであるか、または送信するのがｅＭＢＢ  ＰＵＳＣＨ、ｅＭＢＢ  ＵＣＩおよびＵＲＬＬＣ  ＨＡＲＱ−ＡＣＫであるか、または送信するのがｅＭＢＢ  ＰＵＳＣＨ、ＵＲＬＬＣ  ＨＡＲＱ−ＡＣＫおよびＵＲＬＬＣ  ＣＳＩであるか、またはｅＭＢＢ  ＰＵＳＣＨ、ｅＭＢＢ  ＵＣＩ、ＵＲＬＬＣ  ＨＡＲＱ−ＡＣＫおよびＵＲＬＬＣ  ＣＳＩである可能性がある。ここで、ｅＭＢＢ  ＵＣＩは、ｅＭＢＢ  ＨＡＲＱ−ＡＣＫおよび／またはｅＭＢＢ  ＣＳＩである可能性がある。
【００６４】
（実施例２）
図３において、端末がｅＭＢＢ  ＰＵＳＣＨとｅＭＢＢ  ＨＡＲＱ−ＡＣＫとＵＲＬＬＣ  ＨＡＲＱ−ＡＣＫとを同時に送信する場合の模式図２Ａが示されている。図において、ｓｌｏｔ＃ｉ＋３において、基地局は、上りｓｌｏｔ＃ｎでのＰＵＳＣＨの送信をスケジューリングし、前記ＰＵＳＣＨでｅＭＢＢデータが運ばれる。下りｓｌｏｔ＃ｉおよびｓｌｏｔ＃ｉ＋１内にｅＭＢＢを運ぶＰＤＳＣＨが存在し、それに対応するＨＡＲＱ−ＡＣＫフィードバックは、いずれも上りスロットｓｌｏｔ＃ｎで発生して送信される。それと同時に、下りｓｌｏｔ＃ｉ＋２内にＵＲＬＬＣトラフィックを運ぶＰＤＳＣＨが存在し、それに対応するＨＡＲＱ−ＡＣＫフィードバックは同様に上りスロットｓｌｏｔ＃ｎで発生して送信される。前記複数の下りＰＤＳＣＨは１つまたは複数の下りｓｌｏｔ内に存在する可能性がある。
【００６５】
図４は、端末がｅＭＢＢ  ＰＵＳＣＨとｅＭＢＢ  ＨＡＲＱ−ＡＣＫとＵＲＬＬＣ  ＨＡＲＱ−ＡＣＫとを同時に送信する場合の模式図である。図３との区別は、図３におけるｅＭＢＢ上りトラフィックスケジューリングがＵＲＬＬＣ下りトラフィック伝送の後にあるが、図４におけるｅＭＢＢ上りトラフィックスケジューリングがＵＲＬＬＣ下りトラフィック伝送の前にあることである。
【００６６】
本実施例１および実施例２において、第１データタイプの上りデータの伝送の制御チャネルがｔ１期間にあるようにスケジューリングし、第２トラフィックタイプの下りデータの伝送の制御チャネルまたは第２トラフィックタイプの下りデータの伝送がｔ２期間にあるようにスケジューリングし、ｔ１期間がｔ２期間の後にある場合、ユーザ端末は、第１予め設定された方法を用いて第２トラフィックタイプの下りデータの伝送に対するＨＡＲＱ−ＡＣＫ情報を送信し、ｔ１期間がｔ２期間の前にある場合、ユーザ端末は、第２予め設定された方法を用いて第２トラフィックタイプの下りデータの伝送に対するＨＡＲＱ−ＡＣＫ情報を送信する。
【００６７】
前記第１予め設定された方法と前記第２予め設定された方法とは異なる。
【００６８】
ｔ１期間とｔ２期間とが同じである場合、ユーザ端末は、第１予め設定された方法を用いて第２トラフィックタイプの下りデータの伝送に対するＨＡＲＱ−ＡＣＫ情報を送信する。
【００６９】
一実施例において、前記第１予め設定された方法は、
前記ＨＡＲＱ−ＡＣＫメッセージをパンクチャリングの方式で前記第１データタイプの上りデータに多重化すること、または
前記ＨＡＲＱ−ＡＣＫメッセージをレートマッチングの方式で前記第１データタイプの上りデータに多重化すること、
の１つを含んでもよいが、これらに限定されない。
【００７０】
一実施例において、前記パンクチャリング方式は、１〜２ビットのＨＡＲＱ−ＡＣＫメッセージに適用されるか、またはＨＡＲＱ−ＡＣＫメッセージを送信するＰＵＣＣＨの開始シンボルと第１データタイプの上りデータのチャネルＰＵＳＣＨの開始シンボルとが同じであるように設定することに適用される。
【００７１】
一実施例において、前記レートマッチング方式は、２ビットよりも大きなＨＡＲＱ−ＡＣＫメッセージに適用されるか、またはＨＡＲＱ−ＡＣＫメッセージを送信するＰＵＣＣＨの開始シンボルと第１データタイプの上りデータのチャネルＰＵＳＣＨの開始シンボルとが異なるように設定することに適用される。
【００７２】
一実施例において、前記第２予め設定された方法は、
前記ＨＡＲＱ−ＡＣＫメッセージと前記第１データタイプの上りデータとの重複シンボルにおいて、前記ＨＡＲＱ−ＡＣＫメッセージを送信し、前記重複シンボルにおける第１データタイプの上りデータを廃棄することの１つを含んでもよいが、これらに限定されない。
【００７３】
一実施例において、前記送信ＨＡＲＱ−ＡＣＫメッセージの周波数領域リソースは、前記第１データタイプの上りデータの周波数領域リソースまたは前記第１データタイプの上りデータの周波数領域リソースのサブセットである。
【００７４】
前記第１データタイプは、第２データタイプよりも優先度が低い。
【００７５】
一実施例において、第１データタイプはｅＭＢＢトラフィックであり、第２データタイプはＵＲＬＬＣトラフィックである。
【００７６】
（実施例３）
図５において、ＰＵＳＣＨおよびＰＵＣＣＨは、異なる時間領域の開始点を有し、ＰＵＳＣＨの周波数ホッピングがイネーブルされていない。この場合、ＰＵＣＣＨチャネルが廃棄され、かつ、運ばれるＵＣＩはＰＵＳＣＨチャネルで送信される。この場合、ＵＣＩのマッピングできる１つ目のシンボルは、ＰＵＣＣＨとＰＵＳＣＨとの重複シンボルのうちの１つ目のｄａｔａシンボル、またはＰＵＣＣＨの開始シンボルから開始したＰＵＳＣＨの１つ目の非ＤＭＲＳシンボルとして定義される。図において、ＵＣＩはＰＵＳＣＨで、連続したまたは間隔をあけたリソースエレメントにマッピングされる。図において、前記ＵＣＩは１〜２ビットのＨＡＲＱ−ＡＣＫまたはＣＳＩ情報であってもよい。
【００７７】
ＰＵＳＣＨの各層におけるＨＡＲＱ−ＡＣＫのマッピングリソース数がＱ’ＡＣＫ＝ｍｉｎ｛Ｘ，Ｙ｝であると定義し、ただし、Ｘは、ＨＡＲＱ−ＡＣＫのビット数、上位層が設定したオフセット値Ｂｅｔａ＿ｏｆｆｓｅｔ、ＰＵＳＣＨ符号化率等の要因に基づいて決定された必要なリソース数であり、Ｙは、ＵＥが実際に最大で多重化可能なリソース数である。
【００７８】
【数１】
2021524194.tif 000003
【００７９】
と定義し、ただし、αは、上位層が設定したパラメータ、またはデフォルトの固定値、またはＤＣＩによって通知された値である。
【００８０】
一実施例において、
【００８１】
【数２】
2021524194.tif 000004
【００８２】
は、シンボルｌで送信に使用可能なＵＣＩのリソースエレメント数である。
【００８３】
【数３】
2021524194.tif 000005
【００８４】
はＰＵＳＣＨのシンボルインデックスであり、
【００８５】
【数４】
2021524194.tif 000006
【００８６】
はＰＵＳＣＨの総シンボル数であり、ＤＭＲＳシンボルが含まれている。
【００８７】
【数５】
2021524194.tif 000007
【００８８】
はＰＵＣＣＨの総シンボル数である。
【００８９】
一実施例において、ＰＵＳＣＨのＤＭＲＳシンボル
【００９０】
【数６】
2021524194.tif 000008
【００９１】
であり、他のシンボル
【００９２】
【数７】
2021524194.tif 000009
【００９３】
であり、または
【００９４】
【数８】
2021524194.tif 000010
【００９５】
であり、ただし、
【００９６】
【数９】
2021524194.tif 000011
【００９７】
はＰＵＳＣＨスケジューリング帯域幅内のサブキャリア数であり、
【００９８】
【数１０】
2021524194.tif 000012
【００９９】
はシンボルｌ内に含まれたＰＴＲＳのサブキャリア数である。
【０１００】
一実施例において、ｌ０は、ＰＵＣＣＨの１つ目のシンボルに対応するＰＵＳＣＨの非ＤＭＲＳシンボルのインデックスであり、またはｌ０は、ＰＵＣＣＨの１つ目のシンボルに対応するＰＵＳＣＨのシンボルのインデックスである。または、ｌ０は、ＰＵＣＣＨの１つ目のシンボルに対応するＰＵＳＣＨの非ＤＭＲＳシンボルのインデックスであり、かつ、前記シンボルが１つ目のＰＵＳＣＨ  ＤＭＲＳシンボルの後に位置する。
【０１０１】
一実施例において、ＰＵＳＣＨでｅＭＢＢデータが運ばれ、ＰＵＣＣＨでＵＲＬＬＣ  ＵＣＩ運ばれている場合、遅延を確保するために、前記ＵＣＩはＰＵＣＣＨとＰＵＳＣＨとの重複シンボル内の非ＤＭＲＳシンボルにマッピングすることしかできない。または、前記ＵＣＩは、ＰＵＣＣＨとＰＵＳＣＨとの重複シンボルの後の非ＤＭＲＳシンボルにマッピングされてもよい。
【０１０２】
ＰＵＣＣＨが１つのシンボルのみを有すれば、ＰＵＣＣＨはＰＵＳＣＨのシンボル全体を廃棄し、即ち、重複シンボルでＰＵＣＣＨを送信してもよい。図６において、重複シンボルでＰＵＳＣＨのシンボルが廃棄され、ＰＵＣＣＨはＰＵＳＣＨのリソースで送信される。図において、ＰＵＣＣＨの周波数ホッピングがイネーブルされ、ＰＵＳＣＨのリソースで送信される場合、２つの周波数ホッピングが位置するリソース位置はＰＵＳＣＨの割り当てリソースの両側に位置する。
【０１０３】
本開示の実施例において、ＰＵＳＣＨとＰＵＣＣＨとの時間領域のシンボルが衝突して開始シンボルが異なる場合、少なくとも、
ＵＣＩタイプと、
ＵＣＩのビット数と、
の１つに基づいてＵＣＩの送信方法を決定する。
【０１０４】
ＵＣＩに１〜２ビットのＨＡＲＱ−ＡＣＫメッセージのみが含まれている場合、前記ＨＡＲＱ−ＡＣＫメッセージをＰＵＳＣＨに載せて送信する。一実施例において、好ましくは、パンクチャリングの方式でＰＵＳＣＨにおいて送信する。または、前記ＨＡＲＱ−ＡＣＫメッセージの第１データタイプでの伝送が占有するリソース数は閾値Ｘ１以下である場合、パンクチャリングまたはレートマッチングの方式で第１データタイプの上りデータに多重化する。前記ＨＡＲＱ−ＡＣＫメッセージの第１データタイプでの伝送が占有するリソース数は閾値Ｘ１よりも大きい場合、前記ＨＡＲＱ−ＡＣＫメッセージを運ぶリソースと前記第１データタイプの上りデータのチャネルとの重複シンボルにおいて、前記ＨＡＲＱ−ＡＣＫメッセージを上り制御チャネルＰＵＣＣＨに載せて送信する。または、前記ＨＡＲＱ−ＡＣＫメッセージを第１データタイプで伝送する時の符号化率が閾値Ｘ２以下である場合、パンクチャリングまたはレートマッチングの方式を用いて第１データタイプの上りデータに多重化する。前記ＨＡＲＱ−ＡＣＫメッセージを第１データタイプで伝送する時の符号化率が閾値Ｘ２よりも大きい場合、前記ＨＡＲＱ−ＡＣＫメッセージを運ぶリソースと前記第１データタイプの上りデータのチャネルとの重複シンボルにおいて、前記ＨＡＲＱ−ＡＣＫメッセージを上り制御チャネルＰＵＣＣＨに載せて送信する。
【０１０５】
ＵＣＩに２ビットよりも大きなＨＡＲＱ−ＡＣＫメッセージのみが含まれている場合、前記ＨＡＲＱ−ＡＣＫメッセージを１ビットまたは２ビットとしてバンドリングし、ＰＵＳＣＨに載せて送信する。一実施例において、好ましくは、パンクチャリングの方式でＰＵＳＣＨにおいて送信する。または、前記バンドリング後のＨＡＲＱ−ＡＣＫメッセージの第１データタイプでの伝送が占有するリソース数は閾値Ｘ１以下である場合、パンクチャリングまたはレートマッチングの方式で第１データタイプの上りデータに多重化する。前記ＨＡＲＱ−ＡＣＫメッセージの第１データタイプでの伝送が占有するリソース数は閾値Ｘ１よりも大きい場合、前記ＨＡＲＱ−ＡＣＫメッセージを運ぶリソースと前記第１データタイプの上りデータのチャネルとの重複シンボルにおいて、前記ＨＡＲＱ−ＡＣＫメッセージを上り制御チャネルＰＵＣＣＨに載せて送信する。または、前記ＨＡＲＱ−ＡＣＫメッセージを第１データタイプで伝送する時の符号化率が閾値Ｘ２以下である場合、パンクチャリングまたはレートマッチングの方式で第１データタイプの上りデータに多重化する。前記ＨＡＲＱ−ＡＣＫメッセージを第１データタイプで伝送する時の符号化率が閾値Ｘ２よりも大きい場合、前記ＨＡＲＱ−ＡＣＫメッセージを運ぶリソースと前記第１データタイプの上りデータのチャネルとの重複シンボルにおいて、前記ＨＡＲＱ−ＡＣＫメッセージを上り制御チャネルＰＵＣＣＨに載せて送信する。
【０１０６】
ＵＣＩがＨＡＲＱ−ＡＣＫメッセージ、および／またはＣＳＩメッセージ、および／またはＳＲメッセージを同時に含む場合、前記ＵＣＩメッセージを重複シンボルに多重化してＰＵＣＣＨを介して送信する。一実施例において、前記重複シンボルでのＰＵＳＣＨの送信を廃棄し、または、前記ＨＡＲＱ−ＡＣＫメッセージをＰＵＳＣＨに載せて送信する。一実施例において、好ましくは、パンクチャリングの方式で前記ＨＡＲＱ−ＡＣＫメッセージをＰＵＳＣＨで送信する。一実施例において、前記ＨＡＲＱ−ＡＣＫメッセージは１または２ビット含まれている。ＣＳＩおよび／またはＳＲメッセージを廃棄する。
【０１０７】
一実施例において、ＵＣＩをＰＵＳＣＨで送信する場合、ＵＣＩのマッピングする１つ目のシンボルとして設定可能なものは、ＰＵＣＣＨとＰＵＳＣＨとの重複シンボルのうちの１つ目のｄａｔａシンボル、またはＰＵＣＣＨの開始シンボルから開始したＰＵＳＣＨの１つ目の非ＤＭＲＳシンボルとして定義される。
【０１０８】
一実施例において、前記ＵＣＩは、ＰＵＣＣＨとＰＵＳＣＨとの重複シンボル内の非ＤＭＲＳシンボルにマッピングすることしかできない。
【０１０９】
一実施例において、前記ＵＣＩは、ＰＵＣＣＨとＰＵＳＣＨとの重複シンボルの後の非ＤＭＲＳシンボルにマッピングされてもよい。一実施例において、この場合、ＰＵＣＣＨのシンボル数は１である。
【０１１０】
前記ＵＣＩは１〜２ビットのＨＡＲＱ−ＡＣＫ情報である。
【０１１１】
一実施例において、前記ＵＣＩメッセージが重複シンボルでＰＵＣＣＨを介して送信される場合、前記ＰＵＣＣＨに使用される周波数領域リソースは、ＰＵＳＣＨの周波数領域リソースまたはＰＵＳＣＨの周波数領域リソースのサブセットである。
【０１１２】
一実施例において、前記ＰＵＣＣＨの周波数ホッピングがイネーブルされる場合、ＰＵＣＣＨに使用される周波数領域リソースは、ＰＵＳＣＨの周波数領域リソース内の上下両側のリソースに位置する。
【０１１３】
一実施例において、前記ＰＵＣＣＨに使用される周波数領域リソースはＰＵＣＣＨの周波数領域リソースである。
【０１１４】
前記ＵＣＩは、２ビットよりも大きなＨＡＲＱ−ＡＣＫ情報、またはＣＳＩ情報、または１つまたは複数のＳＲメッセージ、または上記情報の組み合わせである。
【０１１５】
（実施例４）
図７において、ＰＵＳＣＨおよびＰＵＣＣＨが異なる開始点を有し、ＰＵＳＣＨの周波数ホッピングがイネーブルされる場合の模式図が示されている。図において、ＰＵＣＣＨは、時間領域において、２つのＰＵＳＣＨの周波数ホッピングｈｏｐといずれも衝突する。ＰＵＳＣＨで運ばれるのはｅＭＢＢのデータのような低優先度のトラフィックである。
【０１１６】
ＰＵＣＣＨで運ばれるのがＵＲＬＬＣのＨＡＲＱ−ＡＣＫ情報のような高優先度のトラフィックである場合、前記マッピング規則は以下を含む。
【０１１７】
規則１、ＰＵＣＣＨチャネルを廃棄し、前記ＨＡＲＱ−ＡＣＫ情報を２つ目のｈｏｐにマッピングする。
【０１１８】
図７Ａに示すように、規則１に従ってマッピングする模式図であり、この場合、メリットはＤＭＲＳに近いことであり、デメリットは一定の遅延が導入されることである。
【０１１９】
規則２、ＰＵＣＣＨチャネルを廃棄し、前記ＨＡＲＱ−ＡＣＫ情報を１つ目のｈｏｐにマッピングする。
【０１２０】
図７Ｂに示すように、規則２に従ってマッピングする模式図であり、メリットは遅延が小さいことであるが、ＤＭＲＳからの距離が遠いことである。
【０１２１】
規則３、前記ＨＡＲＱ−ＡＣＫメッセージを２部分に分け、各ｈｏｐにそれぞれマッピングする。
【０１２２】
図７Ｃに示すように、規則３に従ってマッピングする模式図である。
【０１２３】
規則４、前記ＨＡＲＱ−ＡＣＫメッセージを各ｈｏｐに繰り返してマッピングし、各ｈｏｐにマッピングされた情報は同じである。
【０１２４】
規則５、ＰＵＣＣＨの１つ目のｈｏｐで運ばれる情報をＰＵＳＣＨの１つ目のｈｏｐ内にマッピングし、ＰＵＣＣＨの２つ目のｈｏｐで運ばれる情報をＰＵＳＣＨの２つ目のｈｏｐ内にマッピングする。
【０１２５】
規則６、ＰＵＣＣＨの周波数ホッピングがイネーブルされると、前記ＨＡＲＱ−ＡＣＫメッセージを２部分に分け、各ｈｏｐにそれぞれマッピングし、ＰＵＣＣＨの周波数ホッピングがイネーブルされていないと、ＰＵＣＣＨで運ばれるＨＡＲＱ−ＡＣＫメッセージを１つ目のｈｏｐまたは２つ目のｈｏｐにマッピングする。
【０１２６】
規則７、予め設定されたデフォルト値Ｘに基づき、ＰＵＳＣＨの１つ目のｈｏｐにおけるＰＵＣＣＨとＰＵＳＣＨとの重複シンボルからＤＭＲＳまでのシンボル数がＸ以下である場合、前記ＰＵＣＣＨのＨＡＲＱ−ＡＣＫメッセージを１つ目のｈｏｐにマッピングし、そうでなければ、前記ＰＵＣＣＨのＨＡＲＱ−ＡＣＫメッセージを２つ目のｈｏｐにマッピングする。
【０１２７】
複数種のＨＡＲＱ−ＡＣＫ情報をＰＵＳＣＨにマッピングするマッピング規則を予め定義することができ、上位層はＲＲＣを介して上記予め定義された規則のうちの１種をＵＥに通知するか、または暗黙的な方式でマッピング規則を選択することができる。
【０１２８】
（実施例５）
図８に示すように、ＰＵＳＣＨおよびＰＵＣＣＨは同じ時間領域の開始点を有し、ＰＵＳＣＨの周波数ホッピングがイネーブルされていない。この場合、ＰＵＣＣＨチャネルを廃棄し、ＰＵＣＣＨが運ぶＵＣＩをＰＵＳＣＨチャネルで送信する。この場合、ＵＣＩのマッピングできる１つ目のシンボルは、ＰＵＣＣＨとＰＵＳＣＨとの重複シンボルのうちの１つ目のｄａｔａシンボル、またはＰＵＣＣＨの開始シンボルから開始したＰＵＳＣＨの１つ目の非ＤＭＲＳシンボルとして定義される。図において、ＵＣＩはＰＵＳＣＨで、連続したまたは間隔をあけたリソースエレメントにマッピングされる。図において、前記ＵＣＩはＨＡＲＱ−ＡＣＫ、またはＣＳＩ情報、またはＳＲメッセージ、または上記情報の組み合わせであってもよい。
【０１２９】
一実施例において、ＰＵＣＣＨがＰＵＳＣＨの１つ目のｈｏｐのみと衝突すれば、ＵＣＩ情報はＰＵＳＣＨの１つ目のｈｏｐのみにマッピングされ、ＰＵＣＣＨがＰＵＳＣＨの２つのｈｏｐと衝突すれば、重複シンボル内の非ＤＭＲＳシンボルにマッピングされ、一実施例において、好ましくは、マッピング順序は、１つ目のシンボルの重複シンボルから後ろへマッピングされる。
【０１３０】
ＰＵＳＣＨの各層におけるＨＡＲＱ−ＡＣＫのマッピングリソース数がＱ’ＡＣＫ≦Ｙであると定義し、Ｙは、ＵＥが実際に最大で多重化可能なリソース数である。
【０１３１】
【数１１】
2021524194.tif 000013
【０１３２】
と定義し、ただし、αは、上位層が設定したパラメータ、またはデフォルトの固定値、またはＤＣＩによって通知された値である。
【０１３３】
一実施例において、
【０１３４】
【数１２】
2021524194.tif 000014
【０１３５】
は、シンボルｌでＵＣＩを送信するように構成され得るリソースエレメント数である。
【０１３６】
【数１３】
2021524194.tif 000015
【０１３７】
はＰＵＳＣＨのシンボルインデックスであり、
【０１３８】
【数１４】
2021524194.tif 000016
【０１３９】
はＰＵＳＣＨの総シンボル数であり、ＤＭＲＳシンボルが含まれている。
【０１４０】
【数１５】
2021524194.tif 000017
【０１４１】
はＰＵＣＣＨの総シンボル数である。
【０１４２】
一実施例において、ＰＵＳＣＨのＤＭＲＳシンボル
【０１４３】
【数１６】
2021524194.tif 000018
【０１４４】
であり、他のシンボル
【０１４５】
【数１７】
2021524194.tif 000019
【０１４６】
であり、または
【０１４７】
【数１８】
2021524194.tif 000020
【０１４８】
であり、ただし、
【０１４９】
【数１９】
2021524194.tif 000021
【０１５０】
はＰＵＳＣＨスケジューリング帯域幅内のサブキャリア数である。
【０１５１】
【数２０】
2021524194.tif 000022
【０１５２】
はシンボルｌ内に含まれたＰＴＲＳのサブキャリア数である。
【０１５３】
一実施例において、ｌ０は、ＰＵＣＣＨの１つ目のシンボルに対応するＰＵＳＣＨの非ＤＭＲＳシンボルのインデックスであり、またはｌ０は、ＰＵＣＣＨの１つ目のシンボルに対応するＰＵＳＣＨのシンボルのインデックスである。または、ｌ０は、ＰＵＣＣＨの１つ目のシンボルに対応するＰＵＳＣＨの非ＤＭＲＳシンボルのインデックスであり、かつ、前記シンボルが１つ目のＰＵＳＣＨ  ＤＭＲＳシンボルの後に位置する。
【０１５４】
本実施例において、ＰＵＳＣＨとＰＵＣＣＨとの時間領域のシンボルが衝突して開始シンボルが同じである場合、ＵＣＩの送信方法は、ＰＵＳＣＨとＰＵＣＣＨとの時間領域のシンボルが衝突して開始シンボルが異なる場合の方法と異なる。
【０１５５】
例示的には、前記ＵＣＩビット数が２ビットよりも大きいか、または前記ＵＣＩが２ビットよりも大きなＨＡＲＱ−ＡＣＫ情報および／またはＣＳＩ情報および／またはＳＲメッセージである時、
ＰＵＳＣＨとＰＵＣＣＨとの時間領域のシンボルが衝突して開始シンボルが同じである場合、前記ＵＣＩをレートマッチングの方式でＰＵＳＣＨに載せて送信し、
ＰＵＳＣＨとＰＵＣＣＨとの時間領域のシンボルが衝突して開始シンボルが異なる場合、前記ＵＣＩをＰＵＣＣＨに載せて送信する。
【０１５６】
（実施例６）
図９において、ｅＭＢＢ  ＰＵＳＣＨ、ｅＭＢＢ  ＰＵＣＣＨおよびＵＲＬＬＣ  ＰＵＣＣＨは同じ開始点を有する。好ましくは、ＰＵＳＣＨ領域を２つの領域に分け、第１領域および第２領域と定義し、ここで、ＵＲＬＬＣ  ＵＣＩは第１領域内のみにマッピングでき、ｅＭＢＢ  ＵＣＩは第２領域内のみにマッピングできる。
【０１５７】
一実施例において、前記第１領域は、ＵＲＬＬＣ  ＰＵＣＣＨとｅＭＢＢ  ＰＵＳＣＨとの重なっている領域であるか、またはＵＲＬＬＣ  ＰＵＣＣＨとｅＭＢＢ  ＰＵＳＣＨとの重なっている領域内の非ＤＭＲＳシンボルである。前記第２領域は、ＰＵＳＣＨから第１領域のシンボルを除去したものであるか、または第２領域は、ＰＵＳＣＨから第１領域のシンボルを除去してＤＭＲＳシンボルを含まないものである。
【０１５８】
前記重なっている領域とは、時間領域の重複シンボルにおける全ての周波数領域の領域を意味する。
【０１５９】
一実施例において、前記第１領域はｅＭＢＢ  ＰＵＳＣＨの最初のｃｅｉｌ（Ｎ／２）個のシンボルであり、前記第２領域はｅＭＢＢ  ＰＵＳＣＨの最後のｆｌｏｏｒ（Ｎ／２）個のシンボルであり、ここで、ＮはＰＵＳＣＨのシンボル総数であり、ｃｅｉｌ関数は切り上げであり、ｆｌｏｏｒ関数は切り捨てである。
【０１６０】
一実施例において、前記第１領域はｅＭＢＢ  ＰＵＳＣＨの最初のｃｅｉｌ（Ｎ／２）個の非ＤＭＲＳシンボルであり、前記第２領域はｅＭＢＢ  ＰＵＳＣＨの最後のｆｌｏｏｒ（Ｎ／２）個の非ＤＭＲＳシンボルであり、ここで、ＮはＰＵＳＣＨの非ＤＭＲＳシンボルの総数であり、ｃｅｉｌ関数は切り上げであり、ｆｌｏｏｒ関数は切り捨てである。
【０１６１】
一実施例において、ＰＵＳＣＨの周波数ホッピングがイネーブルされると、第１領域はＰＵＳＣＨの１つ目の周波数ホッピングの位置であり、第２領域はＰＵＳＣＨの２つ目の周波数ホッピングの位置である。
【０１６２】
一実施例において、ＵＲＬＬＣ  ＵＣＩは第１領域内でシンボルインデックスの小さい順で順次マッピングされ、一実施例において、ｅＭＢＢ  ＵＣＩは第２領域内でシンボルインデックスの大きい順で順次マッピングされる。
【０１６３】
一実施例において、第１および第２領域内で第１予め定義されたリソースおよび第２予め定義されたリソースをそれぞれ定義し、第１予め定義されたリソースは１または２ビットのＵＲＬＬＣ  ＨＡＲＱ−ＡＣＫによって決定され、第２予め定義されたリソースは２ビットのｅＭＢＢ  ＨＡＲＱ−ＡＣＫによって決定される。
【０１６４】
好ましくは、予め定義されたリソースを定義し、ここで、予め定義されたリソースはＮビットのＵＣＩによって決定される。
【０１６５】
一実施例において、前記Ｎ＝２であり、ここで、１ビットはＵＲＬＬＣ  ＨＡＲＱ−ＡＣＫで、１ビットはｅＭＢＢ  ＨＡＲＱ−ＡＣＫである。
【０１６６】
前記Ｎ＝３であり、ここで、１ビットはＵＲＬＬＣ  ＨＡＲＱ−ＡＣＫで、２ビットはｅＭＢＢ  ＨＡＲＱ−ＡＣＫであり、または、前記Ｎ＝２で、２ビットはＵＲＬＬＣ  ＨＡＲＱ−ＡＣＫで、１ビットはｅＭＢＢ  ＨＡＲＱ−ＡＣＫである。
【０１６７】
前記Ｎ＝４であり、ここで、２ビットはＵＲＬＬＣ  ＨＡＲＱ−ＡＣＫで、２ビットはｅＭＢＢ  ＨＡＲＱ−ＡＣＫである。
【０１６８】
ｅＭＢＢのＣＳＩ第１部分（ＣＳＩ  ｐａｒｔ  １）は、上記予め定義されたリソースにマッピングできず、または、ｅＭＢＢのＣＳＩ第１部分（ＣＳＩ  ｐａｒｔ  １）は上記予め定義されたリソースにマッピングできる。
【０１６９】
ｅＭＢＢのＣＳＩ第２部分（ＣＳＩ  ｐａｒｔ  ２）は上記予め定義されたリソースにマッピングできる。
【０１７０】
ＵＲＬＬＣのＣＳＩ第１部分（ＣＳＩ  ｐａｒｔ  １）は上記予め定義されたリソースにマッピングできない。
【０１７１】
ＵＲＬＬＣのＣＳＩ第２部分（ＣＳＩ  ｐａｒｔ  ２）は上記予め定義されたリソースにマッピングでき、または、ＵＲＬＬＣのＣＳＩ第２部分（ＣＳＩ  ｐａｒｔ  ２）は上記予め定義されたリソースにマッピングできない。
【０１７２】
一実施例において、ＵＲＬＬＣ  ＰＵＣＣＨの時間領域のシンボルの開始点とｅＭＢＢ  ＰＵＳＣＨの時間領域のシンボルの開始点とが異なる場合、ＵＲＬＬＣ  ＰＵＣＣＨが１〜２ビットのＨＡＲＱ−ＡＣＫメッセージを運ぶと、前記ＨＡＲＱ−ＡＣＫをパンクチャリングの方式でＰＵＳＣＨにマッピングする。この場合、ｅＭＢＢ  ＰＵＣＣＨの時間領域のシンボルの開始点とｅＭＢＢ  ＰＵＳＣＨの時間領域のシンボルの開始点とは同じであるか、または異なる。
【０１７３】
一実施例において、ＵＲＬＬＣ  ＰＵＣＣＨの時間領域のシンボルの開始点とｅＭＢＢ  ＰＵＳＣＨ時間領域のシンボルの開始点とが異なる場合、重なっているＰＵＳＣＨのシンボルを除去し、ＵＲＬＬＣ  ＰＵＣＣＨを送信する。
【０１７４】
ここで、前記ＵＲＬＬＣ  ＰＵＣＣＨで運ばれるのは、２ビットよりも大きなＨＡＲＱ−ＡＣＫメッセージ、ＣＳＩ情報、または上記情報の組み合わせである。
【０１７５】
（実施例７）
本実施例は、主に時間領域において、２つの異なるトラフィックタイプを運ぶＰＵＣＣＨに重複シンボルが存在する場合のユーザ行動について説明する。２つの異なるトラフィックタイプがそれぞれｅＭＢＢおよびＵＲＬＬＣであると仮定すると、ＰＵＣＣＨで運ばれる制御情報によって、少なくとも、
第１種、２つのＰＵＣＣＨで運ばれるのが、それぞれｅＭＢＢ  ＨＡＲＱ−ＡＣＫおよびＵＲＬＬＣ  ＨＡＲＱ−ＡＣＫである場合と、
第２種、２つのＰＵＣＣＨで運ばれるのが、それぞれｅＭＢＢ  ＨＡＲＱ−ＡＣＫおよびＵＲＬＬＣ  ＣＳＩである場合と、
第３種、２つのＰＵＣＣＨで運ばれるのが、それぞれｅＭＢＢ  ＣＳＩおよびＵＲＬＬＣ  ＨＡＲＱ−ＡＣＫである場合と、
第４種、２つのＰＵＣＣＨで運ばれるのが、それぞれｅＭＢＢ  ＣＳＩおよびＵＲＬＬＣ  ＣＳＩである場合と、
のいくつかに分けられる。
【０１７６】
好ましくは、ユーザは、上記４種の場合に同じ方法を採用し、前記方法は、少なくとも重複シンボルに対してｅＭＢＢ  ＵＣＩを運ぶＰＵＣＣＨを廃棄し、ＵＲＬＬＣ  ＵＣＩを運ぶＰＵＣＣＨを送信することである。
【０１７７】
好ましくは、ユーザは、上記第１種、第３種、第４種の場合に同じ方法を採用し、前記方法は、少なくとも重複シンボルに対してｅＭＢＢ  ＵＣＩを運ぶＰＵＣＣＨを廃棄し、ＵＲＬＬＣ  ＵＣＩを運ぶＰＵＣＣＨを送信することである。
【０１７８】
前記第２種の場合における送信方法は、少なくとも重複シンボルに対してＵＲＬＬＣ  ＣＳＩを運ぶＰＵＣＣＨを廃棄し、ｅＭＢＢ  ＨＡＲＱ−ＡＣＫを運ぶＰＵＣＣＨを送信することである。
【０１７９】
好ましくは、ユーザは、上記第３種、第４種の場合に同じ方法を採用し、前記方法は、少なくとも重複シンボルに対してｅＭＢＢ  ＵＣＩを運ぶＰＵＣＣＨを廃棄し、ＵＲＬＬＣ  ＵＣＩを運ぶＰＵＣＣＨを送信することである。
【０１８０】
好ましくは、ユーザは、上記第１種、第２種の場合に同じ方法を採用し、前記方法は、ｅＭＢＢ  ＨＡＲＱ−ＡＣＫを１ビットとしてバンドリングすることである。一実施例において、ＵＲＬＬＣ  ＵＣＩのビット数がＭ以下である場合、ｅＭＢＢ  ＨＡＲＱ−ＡＣＫとＵＲＬＬＣ  ＵＣＩとをジョイント符号化する。一実施例において、ＵＲＬＬＣ  ＵＣＩのビット数がＭよりも大きい場合、ｅＭＢＢ  ＨＡＲＱ−ＡＣＫをパンクチャリングの形式でＵＲＬＬＣ  ＰＵＣＣＨにマッピングする。
【０１８１】
ユーザがＰＵＣＣＨを用いてｅＭＢＢ  ＨＡＲＱ−ＡＣＫとＵＲＬＬＣ  ＣＳＩとＵＲＬＬＣ  ＨＡＲＱ−ＡＣＫ情報とを同時に送信する必要のある場合、ｅＭＢＢ  ＨＡＲＱ−ＡＣＫを１ビットとしてバンドリングする。ユーザがＰＵＣＣＨを用いてｅＭＢＢ  ＣＳＩとＵＲＬＬＣ  ＣＳＩとＵＲＬＬＣ  ＨＡＲＱ−ＡＣＫ情報とを同時に送信する必要のある場合、ｅＭＢＢ  ＣＳＩを廃棄する。ユーザがＰＵＣＣＨを用いてｅＭＢＢ  ＨＡＲＱ−ＡＣＫとｅＭＢＢ  ＣＳＩとＵＲＬＬＣ  ＣＳＩとＵＲＬＬＣ  ＨＡＲＱ−ＡＣＫ情報とを同時に送信する必要のある場合、ｅＭＢＢ  ＣＳＩを廃棄し、ｅＭＢＢ  ＨＡＲＱ−ＡＣＫを１ビットとしてバンドリングする。
【０１８２】
上記態様は、少なくともｅＭＢＢ  ＰＵＣＣＨとＵＲＬＬＣ  ＰＵＣＣＨとが同じシンボルの開始点を有する場合に適用できる。
【０１８３】
（実施例８）
図１０において、ユーザ端末がｅＭＢＢ  ＰＵＣＣＨとＵＲＬＬＣ  ＰＵＳＣＨとを同時に送信する必要のある模式図が示されている。図において、ｅＭＢＢのＣＳＩ情報は、優先的にＰＵＳＣＨの最後のシンボルから前へマッピングし始め、ここで、前記ＣＳＩにＣＳＩ  Ｐａｒｔ  １のみが含まれているか、またはＣＳＩ  ｐａｒｔ  １とＣＳＩ  ｐａｒｔ  ２とを同時に含む。前記ＣＳＩがＣＳＩ  ｐａｒｔ  １とＣＳＩ  ｐａｒｔ  ２とを同時に含むと、ｅＭＢＢのＨＡＲＱ−ＡＣＫ情報は、優先的にＰＵＳＣＨの１つ目の非ＤＭＲＳシンボルから後ろへマッピングし始める。ＨＡＲＱ−ＡＣＫが１〜２ビットであれば、パンクチャリングの方式でマッピングし、前記ＨＡＲＱ−ＡＣＫが２ビットよりも大きければ、レートマッチングの方式でマッピングする。
【０１８４】
または、ユーザ端末がｅＭＢＢ  ＰＵＣＣＨとＵＲＬＬＣ  ＰＵＳＣＨとを同時に送信する必要のある場合、ｅＭＢＢ  ＣＳＩ情報を廃棄し、前記ＨＡＲＱ−ＡＣＫ情報をパンクチャリングまたはレートマッチングの方式でＰＵＳＣＨのデータシンボルにマッピングする。
【０１８５】
一実施例において、前記ＨＡＲＱ−ＡＣＫ情報は、ＰＵＳＣＨから開始した１つ目のデータシンボルから後ろへマッピングするか、またはＨＡＲＱ−ＡＣＫ情報は、ＰＵＳＣＨの最後のデータシンボルから前へマッピングする。
【０１８６】
または、ＰＵＣＣＨの開始シンボルがＰＵＳＣＨの開始シンボルよりも遅い場合、ＰＵＣＣＨの送信を廃棄し、ＰＵＳＣＨを送信する。一実施例において、前記ＰＵＣＣＨで運ばれるＵＣＩはＰＵＳＣＨで送信されない。
【０１８７】
（実施例９）
１つのＰＵＣＣＨが１つまたは複数のＰＵＣＣＨと衝突すれば、または、１つのＰＵＣＣＨが１つまたは複数のＰＵＳＣＨが衝突すれば、以下の条件を満たすと、ユーザ端末はＵＣＩを１つのＰＵＣＣＨまたは１つのＰＵＳＣＨに多重化する。
【０１８８】
条件１：全ての衝突するチャネルにおいて、最初のＰＵＣＣＨ（ｓ）またはＰＵＳＣＨ（ｓ）の１つ目のシンボルがＰＤＳＣＨ（ｓ）の最後のシンボルの後のＮ１＋Ｘ個目のシンボルよりも早くないか、または最初のＰＵＣＣＨ（ｓ）またはＰＵＳＣＨ（ｓ）の１つ目のシンボルがＰＤＳＣＨ（ｓ）の最後のシンボルの後のＮ１＋Ｘ−１個目のシンボルよりも早くない。
【０１８９】
条件２：全ての衝突するチャネルにおいて、最初のＰＵＣＣＨ（ｓ）またはＰＵＳＣＨ（ｓ）の１つ目のシンボルがＰＤＣＣＨ（ｓ）の最後のシンボルの後のＮ２＋Ｙ個目のシンボルよりも早くないか、または最初のＰＵＣＣＨ（ｓ）またはＰＵＳＣＨ（ｓ）の１つ目のシンボルがＰＤＣＣＨ（ｓ）の最後のシンボルの後のＮ２＋Ｙ−１個目のシンボルよりも早くない。ここで、前記ＰＤＣＣＨ（ｓ）は、上り伝送をスケジューリングする下り制御チャネルであり、前記上り伝送はＨＡＲＱ−ＡＣＫおよび／またはＰＵＳＣＨの伝送を含む。
【０１９０】
一実施例において、前記衝突するチャネルが上記時系列要求を満たさない場合、ＵＥは、誤ったスケジューリングと見なされる。
【０１９１】
一実施例において、前記Ｘは、少なくとも、
サブキャリア間隔、ＵＣＩタイプ、ＵＣＩ送信を運ぶチャネルタイプ、タイミングアドバンス（ＴＡ）、下りデータチャネルタイプ、および下りデータチャネルの最後のシンボルの時間領域位置のうちの１つまたは複数によって決定される。
【０１９２】
一実施例において、Ｘ＝０、または１、または７−ｉ、または６−ｉであり、ただし、ｉは７よりも小さな非負整数である。
【０１９３】
一実施例において、Ｘ＝０＋ＴＡ、または１＋ＴＡ、または７−ｉ＋ＴＡ、または６−ｉ＋ＴＡであり、ただし、ｉは７よりも小さな非負整数である。
【０１９４】
一実施例において、Ｘ＝１、または２、または６−ｉ、または５−ｉであり、ただし、ｉは７よりも小さな非負整数である。
【０１９５】
一実施例において、Ｘ＝ｄ１１＋ｄ１２＋ｄ１３であり、ただし、ｄ１１、ｄ１２、ｄ１３は、
ＨＡＲＱ−ＡＣＫがＰＵＣＣＨで送信されている場合、ｄ１１＝０であるという条件と、
ＨＡＲＱ−ＡＣＫがＰＵＳＣＨで送信されている場合、ｄ１１＝１であるという条件と、
ＵＥが複数の有効なキャリアとして設定される場合、ｄ１２は、複数のキャリアの間の最大のタイミングアドバンスに等しく、そうでなければ、ｄ１２＝０であるという条件と、
ＰＤＳＣＨがマッピングタイプＡであり、かつ、最後のシンボルがスロット内のｉ個目のシンボルに位置する場合、ｄ１３＝７−ｉであり、ただし、ｉ＜７であり、そうでなければ、ｄ１３＝０であるという条件と、
の１つを少なくとも満たす。
【０１９６】
一実施例において、前記Ｙは、少なくとも、
サブキャリア間隔、ＵＣＩタイプ、ＵＣＩ送信を運ぶチャネルタイプ、タイミングアドバンス（ＴＡ）、上りデータチャネルタイプ、および上りデータチャネルの１つ目のシンボルにＤＭＲＳシンボルのみが含まれているか否か、のうちの１つまたは複数によって決定される。
【０１９７】
一実施例において、Ｙ＝０または１である。
【０１９８】
一実施例において、Ｙ＝ＴＡまたは１＋ＴＡである。
【０１９９】
一実施例において、Ｙ＝ｄ２１＋ｄ２２であり、ここで、ＰＵＳＣＨの１つ目のシンボルにＤＭＲＳシンボルのみが含まれている場合、ｄ２１＝０であり、そうでなければ、ｄ２１＝１である。ＵＥが複数の有効なキャリアとして設定される場合、ｄ２２は、複数のキャリアの間の最大のタイミングアドバンスに等しく、そうでなければ、ｄ２２＝０である。
【０２００】
一実施例において、図１１に示すように、ＰＤＳＣＨのスケジューリング後のＮ１＋Ｘの終了時刻をｔ１と定義し、ＰＵＣＣＨの伝送の前のＮ２＋Ｙの開始時刻をｔ２と定義する。ｔ１がｔ２時刻よりも早いまたは等しい場合、前記ＰＤＳＣＨのＨＡＲＱ−ＡＣＫ情報とＣＳＩ情報とをジョイント符号化する。一実施例において、ｔ１がｔ２時刻よりも遅い場合、前記ＨＡＲＱ−ＡＣＫを送信するＰＵＣＣＨを廃棄する。
【０２０１】
一実施例において、一般的には、時間領域において、２つのＰＵＣＣＨに重複シンボルが存在し、そのうちの最初のＰＵＣＣＨの開始が開始する前のＮ＋Ｙ個のシンボルが、別のＰＵＣＣＨをトリガするＰＤＳＣＨの最後のシンボルの後のＮ１＋Ｘのシンボルよりも遅い場合、２つのＰＵＣＣＨで運ばれる上り制御情報ＵＣＩをジョイント符号化する。
【０２０２】
一実施例において、一般的には、時間領域において、２つのＰＵＣＣＨに重複シンボルが存在し、そのうちの最後のＰＵＣＣＨの開始が開始する前のＮ＋Ｙ個のシンボルが、別のＰＵＣＣＨをトリガするＰＤＳＣＨの最後のシンボルの後のＮ１＋Ｘのシンボルよりも遅い場合、２つのＰＵＣＣＨで運ばれる上り制御情報ＵＣＩをジョイント符号化する。
【０２０３】
（実施例１０）
ＬＴＥシステムにおいて、より短いシンボルをサポートする時間伝送ユニットＴＴＩ長さ、例えば、２シンボルまたは３シンボルをサポートするＴＴＩ長さは、ｓｕｂｓｌｏｔとなる。１つのサブフレームにおいて、合計６つのｓｕｂｓｌｏｔがある。しかし、ＴＴＩ長さが短くなると、上り制御チャネルＰＵＣＣＨのカバレッジは大きく影響される。上りカバレッジを向上させる１つの方式は、ｓｕｂｓｌｏｔ  ＰＵＣＣＨの繰り返し送信を採用することである。しかし、ｓｕｂｓｌｏｔ  ＰＵＣＣＨが繰り返す場合、サブフレームｓｕｂｆｒａｍｅ境界を跨ぐことが許容されると、リソースの使用効率に影響を及ぼし、かつ、複数の上りチャネルが衝突すると、問題は復雑となる。そのため、ユーザ端末が、ｓｕｂｓｌｏｔ  ＰＵＣＣＨが繰り返すように設定される場合、繰り返しがサブフレーム境界を跨ぐことは許容されない。例えば、ｓｕｂｓｌｏｔ  ＰＵＣＣＨの繰り返し回数が４回で、開始ｓｕｂｓｌｏｔ  ＰＵＣＣＨがｓｕｂｓｌｏｔ＃０で開始するように設定される場合、その後のｓｕｂｓｌｏｔ  ＰＵＣＣＨの繰り返しはそれぞれｓｕｂｓｌｏｔ＃１、＃２、＃３で送信される。開始ｓｕｂｓｌｏｔ  ＰＵＣＣＨがｓｕｂｓｌｏｔ＃４で開始する場合、その後はｓｕｂｓｌｏｔ＃５でｓｕｂｓｌｏｔ  ＰＵＣＣＨの繰り返しを１回だけ送信できる。即ち、実際の繰り返し回数は設定された繰り返し回数以下である。一実施例において、ユーザ端末が、ｓｕｂｓｌｏｔ  ＰＵＣＣＨが繰り返すように設定される場合、繰り返しがスロットｓｌｏｔ境界を跨ぐことは許容されない。
【０２０４】
一実施例において、１ｍｓのＰＵＣＣＨ／ＰＵＳＣＨと複数グループのｓｕｂｓｌｏｔ  ＰＵＣＣＨの繰り返しとが衝突する場合、１ｍｓのＨＡＲＱ−ＡＣＫはピギーバック（ｐｉｇｇｙｂａｃｋ）を１グループ目のｓｕｂｓｌｏｔ  ＰＵＣＣＨの繰り返し（ｒｅｐｅｔｉｔｉｏｎ）に運ぶことしかできない。図１２において、２グループのｓｕｂｓｌｏｔ  ＰＵＣＣＨの繰り返し（グループ毎にいずれも３回繰り返す）と１ｍｓのＰＵＣＣＨ／ＰＵＳＣＨとが衝突する場合、１ｍｓのＨＡＲＱ−ＡＣＫを１グループ目のｓｕｂｓｌｏｔ  ＰＵＣＣＨの繰り返しに運ぶ。好ましくは、１ｍｓのＰＵＣＣＨ／ＰＵＳＣＨでＣＳＩ情報が運ばれると、そのＣＳＩ情報を廃棄する。または、１ｍｓのＨＡＲＱ−ＡＣＫは、ｐｉｇｇｙｂａｃｋを全ての衝突するｓｕｂｓｌｏｔ  ＰＵＣＣＨのｒｅｐｅｔｉｔｉｏｎに運ぶことができる。
【０２０５】
一実施例において、ｓｕｂｓｌｏｔ  ＰＵＣＣＨのｒｅｐｅｔｉｔｉｏｎは１ｍｓのＰＵＣＣＨ／ＰＵＳＣＨのｒｅｐｅｔｉｔｉｏｎと衝突する可能性があり、図１３において、１グループの１ｍｓのＴＴＩ  ＰＵＣＣＨの繰り返し（２回繰り返す）と２グループのｓｕｂｓｌｏｔ  ＰＵＣＣＨの繰り返しとが衝突する。この場合、１ｍｓのＨＡＲＱ−ＡＣＫがｐｉｇｇｙｂａｃｋを１ｍｓのＰＵＣＣＨのｒｅｐｅｔｉｔｉｏｎ全体内の１グループ目のｓｕｂｓｌｏｔ  ＰＵＣＣＨのｒｅｐｅｔｉｔｉｏｎに運ぶことしかできないと定義する必要がある。または、１ｍｓのＨＡＲＱ−ＡＣＫは、ｐｉｇｇｙｂａｃｋを全ての衝突するｓｕｂｓｌｏｔ  ＰＵＣＣＨのｒｅｐｅｔｉｔｉｏｎに運ぶことができる。
【０２０６】
一実施例において、図１４に示すように、ｓｕｂｓｌｏｔ  ＰＵＣＣＨの繰り返しがサブフレームまたはスロット境界を跨ぐことができれば、１ｍｓのＨＡＲＱ−ＡＣＫはｐｉｇｇｙｂａｃｋを１ｍｓのＰＵＣＣＨ／ＰＵＳＣＨ全体内の１グループ目のｓｕｂｓｌｏｔ  ＰＵＣＣＨのｒｅｐｅｔｉｔｉｏｎに運ぶことしかできず、前記１グループ目のｓｕｂｓｌｏｔ  ＰＵＣＣＨのｒｅｐｅｔｉｔｉｏｎはサブフレーム境界を跨いでいない。または、１ｍｓのＨＡＲＱ−ＡＣＫはｐｉｇｇｙｂａｃｋを１ｍｓのＰＵＣＣＨ／ＰＵＳＣＨ全体内の１グループ目のｓｕｂｓｌｏｔ  ＰＵＣＣＨのｒｅｐｅｔｉｔｉｏｎに運ぶことしかできず、前記１グループ目のｓｕｂｓｌｏｔ  ＰＵＣＣＨのｒｅｐｅｔｉｔｉｏｎはサブフレーム境界を跨がなく、かつ、前記１グループ目のｓｕｂｓｌｏｔ  ＰＵＣＣＨのｒｅｐｅｔｉｔｉｏｎの開始ｓｕｂｓｌｏｔ  ＰＵＣＣＨの送信は１ｍｓのＰＵＣＣＨ／ＰＵＳＣＨの開始送信時刻に等しいかまたは遅い。または、１ｍｓのＨＡＲＱ−ＡＣＫは、ｐｉｇｇｙｂａｃｋを全ての衝突するｓｕｂｓｌｏｔ  ＰＵＣＣＨのｒｅｐｅｔｉｔｉｏｎに運ぶことができる。または、１ｍｓのＨＡＲＱ−ＡＣＫは、ｐｉｇｇｙｂａｃｋを衝突するｓｕｂｓｌｏｔ  ＰＵＣＣＨのｒｅｐｅｔｉｔｉｏｎに運ぶことができるが、前記ｓｕｂｓｌｏｔ  ＰＵＣＣＨのｒｅｐｅｔｉｔｉｏｎの開始ｓｕｂｓｌｏｔ  ＰＵＣＣＨの送信は１ｍｓのＰＵＣＣＨ／ＰＵＳＣＨの開始送信時刻に等しいかまたは遅い。
【０２０７】
一実施例において、１ｍｓのＰＵＣＣＨ／ＰＵＳＣＨと１グループのｓｕｂｓｌｏｔ  ＰＵＣＣＨのｒｅｐｅｔｉｔｉｏｎとが衝突し、かつ、ｓｕｂｓｌｏｔ  ＰＵＣＣＨの繰り返しの開始送信時刻が１ｍｓのＰＵＣＣＨ／ＰＵＳＣＨの送信よりも早い場合、ｓｕｂｓｌｏｔ  ＰＵＣＣＨの繰り返しを送信し、かつ、１ｍｓのＨＡＲＱ−ＡＣＫおよび／またはＣＳＩおよび／またはＳＲを全て廃棄する。
【０２０８】
一実施例において、ＵＥが、ｓｕｂｓｌｏｔ  ＰＵＣＣＨを繰り返し送信するように設定される場合、繰り返しの間の周波数ホッピングは、ネットワークイネーブルであってもよく、イネーブルされなくてもよく、周波数ホッピングが常に行われるように固定されてもよい。一実施例において、２回の繰り返しの間に周波数ホッピングがいずれも行われるか、または１回の周波数ホッピングのみが行われ、かつ、１回目の周波数ホッピングに含まれる繰り返し回数はｆｌｏｏｒ（Ｋ／２）またはｃｅｉｌ（Ｋ／２）であり、ただし、ｆｌｏｏｒは切り捨て関数で、ｃｅｉｌは切り上げ関数で、Ｋは繰り返し回数である。
【０２０９】
一実施例において、ＵＥが、ｓｕｂｓｌｏｔ  ＰＵＣＣＨを繰り返して送信するように設定される場合、３シンボルのｓｕｂｓｌｏｔで運ばれると、常にｓｈｏｒｔｅｎｅｄ構造で送信し、即ち、３シンボルのｓｕｂｓｌｏｔで常に２シンボルのＰＵＣＣＨを送信する。
【０２１０】
（実施例１１）
ＬＴＥ／ＬＴＥ−Ａシステムにおいて、上りカバレッジを強化するために、１ｍｓのＰＵＣＣＨは繰り返し送信するように設定されてもよい。それと同時に、ＬＴＥ／ＬＴＥ−Ａシステムで更に短縮されたＴＴＩ長さが定義され、かつ、１ｍｓのＴＴＩスケジューリングと短縮されたＴＴＩのスケジューリングとを動的に切り替えることができるため、ユーザ端末が１ｍｓのＰＵＣＣＨの繰り返しとＳｈｏｒｔｅｎｅｄ  ＰＵＣＣＨ（ＳＰＵＣＣＨ）／Ｓｈｏｒｔｅｎｅｄ  ＰＵＳＣＨ（ＳＰＵＳＣＨ）とを同時に送信する必要があるという衝突問題が発生する可能性がある。この衝突問題を解決するために、一態様では、ＳＰＵＣＣＨ／ＳＰＵＳＣＨと衝突する１ｍｓのＰＵＣＣＨの繰り返しの個数は、上位層が設定した１つの廃棄したパラメータに等しい場合、後続の残りの１ｍｓのＰＵＣＣＨの繰り返しの送信を廃棄する。例えば、１ｍｓのＰＵＣＣＨの繰り返し回数を４に設定し、設定された上位層が廃棄したパラメータが２である場合、１つ目の衝突する１ｍｓのＰＵＣＣＨが発生する時、ＵＥは依然として２つ目のＰＵＣＣＨのｒｅｐｅｔｉｔｉｏｎを送信し、２つ目の衝突が発生する時、後のＰＵＣＣＨの繰り返しの送信を停止する。図１５において、１つ目の１ｍｓのＰＵＣＣＨが送信され、衝突する２つ目および３つ目のＰＵＣＣＨの送信が廃棄されるほか、４つ目のＰＵＣＣＨの送信は同様に廃棄される。図における２つ目と３つ目のＰＵＣＣＨの衝突する前の部分（ハッチング部分）が送信されるか否か、およびどのぐらい送信するかは、ユーザ端末の能力または実現の問題である。
【０２１１】
一実施例において、１ｍｓのＰＵＣＣＨにＨＡＲＱ−ＡＣＫが存在する場合、１つの方法は、ＨＡＲＱ−ＡＣＫを廃棄し、または、図１５における矢印で示されるように、１ｍｓのＰＵＣＣＨの繰り返し全体内に、１つ目の衝突するＳＰＵＣＣＨ／ＳＰＵＳＣＨだけで送信し、または、図１５で送信される１つ目の１ｍｓのＰＵＣＣＨと後のｐｉｇｇｙｂａｃｋをＳＰＵＣＣＨ／ＳＰＵＳＣＨに運ぶＨＡＲＱ−ＡＣＫとの間が統合できないことを考え、かつ、１ｍｓのＰＵＣＣＨのカバレッジが本来ｓＴＴＩのカバレッジよりも大きいことを考え、１つ目の１ｍｓのＰＵＣＣＨと衝突するＳＰＵＣＣＨ／ＳＰＵＳＣＨのみでフィードバックする場合、即ち、ＳＰＵＣＣＨ／ＳＰＵＳＣＨと１つ目の１ｍｓのＰＵＣＣＨとが衝突しない場合、１ｍｓのＨＡＲＱ−ＡＣＫをピギーバックしないことが考えられる。
【０２１２】
一実施例において、１ｍｓのＰＵＣＣＨの繰り返しとＳＰＵＣＣＨ／ＳＰＵＳＣＨとが衝突することを解決する他の解決策は、短縮されたＴＴＩが設定されたキャリアに対して１ｍｓのＰＵＣＣＨのｒｅｐｅｔｉｔｉｏｎを設定せず、更に、他のｃｅｌｌにも１ｍｓのＰＵＣＣＨのｒｅｐｅｔｉｔｉｏｎを設定しないように更に制限する必要があることであってもよい。即ち、全てのキャリアに対し、短縮されたＴＴＩと１ｍｓのＰＵＣＣＨのｒｅｐｅｔｉｔｉｏｎとを同時に設定することはない。
【０２１３】
一実施例において、１ｍｓのＰＵＣＣＨの繰り返しとＳＰＵＣＣＨ／ＳＰＵＳＣＨとが衝突することを解決する他の解決策は、上位層が廃棄したパラメータを設定せず、重なっている１ｍｓのＰＵＣＣＨを送信せず、重なっていない１ｍｓのＰＵＣＣＨを送信することであってもよい。かつ、１ｍｓのＰＵＣＣＨのｒｅｐｅｔｉｔｉｏｎの送信時間全体内に、１ｍｓのＨＡＲＱ−ＡＣＫは１つ目の重なっているＳＰＵＣＣＨ／ＳＰＵＳＣＨのみで送信され、ＣＳＩは廃棄される。
【０２１４】
一実施例において、１ｍｓのＰＵＣＣＨの繰り返しとＳＰＵＣＣＨ／ＳＰＵＳＣＨとが衝突することを解決する他の解決策は、上位層パラメータを設定せず、１ｍｓのＰＵＣＣＨの繰り返しとＳＰＵＣＣＨ／ＳＰＵＳＣＨとが衝突すれば、重なっていない残りの１ｍｓのＰＵＣＣＨをいずれも送信せず、かつ、１つ目の重なっているＳＰＵＣＣＨ／ＳＰＵＳＣＨのみで１ｍｓのＨＡＲＱ−ＡＣＫを送信し、ＣＳＩを廃棄するか、または１つ目の１ｍｓのＰＵＣＣＨと衝突するＳＰＵＣＣＨ／ＳＰＵＳＣＨのみでフィードバックし、即ち、ＳＰＵＣＣＨ／ＳＰＵＳＣＨと１つ目のＰＵＣＣＨとが衝突しないと、１ｍｓのＨＡＲＱ−ＡＣＫをピギーバックしない。前記１つ目のＰＵＣＣＨは１ｍｓのＰＵＣＣＨの繰り返しの送信における初回の送信である。
【０２１５】
一実施例において、上記１ｍｓのＰＵＣＣＨの繰り返しとＳＰＵＣＣＨ／ＳＰＵＳＣＨとが衝突するように設定される態様は、１ｍｓのＰＵＣＣＨの繰り返しとＳＰＵＣＣＨ／ＳＰＵＳＣＨとが衝突することに用いられてもよい。
【０２１６】
（実施例１２）
ＬＴＥ／ＬＴＥ−Ａシステムにおいて、２シンボルまたは３シンボルまたは７シンボルの短縮されたＴＴＩが定義され、かつ、１ｍｓのＴＴＩスケジューリングと短縮されたＴＴＩのスケジューリングとを動的に切り替えることができるため、ユーザ端末が１ｍｓのＰＵＣＣＨ／ＰＵＳＣＨと短縮されたＴＴＩで運ばれるＳＲとを同時に送信する必要のある可能性がある。ＰＵＣＣＨ／ＰＵＳＣＨでＵＣＩ情報が運ばれると、１ｍｓのＰＵＣＣＨ／ＰＵＳＣＨを廃棄する。一態様は、１ｍｓのＵＣＩメッセージを廃棄し、またはＳＲを廃棄して１ｍｓのＰＵＣＣＨ／ＰＵＳＣＨを送信することである。一態様は、１ｍｓのＣＳＩを廃棄するが、ＨＡＲＱ−ＡＣＫ情報とＳＲ情報とを共に短縮されたＴＴＩで送信する。一実施例において、この時、下りＳｈｏｒｔｅｎｅｄ  ＰＤＳＣＨ（ＳＰＤＳＣＨ）に対するＨＡＲＱ−ＡＣＫフィードバックがないと、ユーザは短縮されたＴＴＩにＨＡＲＱ−ＡＣＫ情報とＳＲ情報とを同時に送信するためのリソースがない可能性がある。一実施例において、一方式は、基地局が短縮されたＴＴＩにＳＲと１ｍｓのＨＡＲＱ−ＡＣＫとの送信に専用のＰＵＣＣＨリソースを設定することであり、または、短縮されたＴＴＩが２、３シンボルのＴＴＩである場合、基地局がＵＥに４つのＳＲリソースを設定するため、一方式は、ユーザ端末が１ｍｓのＨＡＲＱ−ＡＣＫを１ビット（自身が１ビットである場合、バンドリングする必要がなく、１ビットよりも大きい場合、１ビットとしてバンドリングする必要がある）としてバンドリングした後、４つのＳＲリソースを用いてＳＲと１ビットのＨＡＲＱ−ＡＣＫとを送信することである。例えば、２つのＳＲリソースは、ＨＡＲＱ−ＡＣＫと有効なｐｏｓｉｔｉｖｅ  ＳＲとを送信するために用いられ、別の２つのＳＲリソースは、ＨＡＲＱ−ＡＣＫと無効なｎｅｇａｔｉｖｅ  ＳＲとを送信するために用いられる。一実施例において、別の方式は、シングルキャリアの場合、ユーザ端末が１ｍｓのＨＡＲＱ−ＡＣＫを１ビット（自身が１ビットである場合、バンドリングする必要がなく、１ビットよりも大きい場合、１ビットとしてバンドリングする必要がある）としてバンドリングした後、４つのＳＲリソースを用いてＳＲと１ビットのＨＡＲＱ−ＡＣＫとを送信することである。しかし、ユーザが複数のキャリアとして設定される場合、基地局は、短縮されたＴＴＩにＳＲと１ｍｓのＨＡＲＱ−ＡＣＫとの送信に専用のＰＵＣＣＨリソースを設定し、前記ＳＲと１ｍｓのＨＡＲＱ−ＡＣＫとは前記リソースで送信される。
【０２１７】
上記実施例と同じまたは類似する概念に基づき、本開示の実施例は、ユーザ機器ＵＥに設けられた信号伝送装置であって、
時間領域において、複数の上りチャネルに重複シンボルが存在する場合、ユーザ機器ＵＥが複数の上りチャネルの送信方式を確定するように構成されるチャネル重複制御ユニットと、
確定した送信方式に従って、上りチャネルで運ばれる上り信号を送信するように構成される送信ユニットと、
を備える信号伝送装置を更に提供する。
【０２１８】
本開示の実施例において、チャネル重複制御ユニットは、
上りチャネルの開始シンボル時間と、
上りチャネル数と、
上りチャネルベアラ情報に対応するトラフィックタイプと、
上りチャネルベアラ情報のビット数と、
上りチャネルベアラ情報の時間領域の長さと、
上りチャネルベアラ情報のトリガ時間と、
の少なくとも１つに基づき、前記複数の上りチャネルの送信方式を確定する。
【０２１９】
前記複数の上りチャネルは少なくとも１つの上り制御チャネルＰＵＣＣＨおよび少なくとも１つの上りデータチャネルＰＵＳＣＨを含み、または、
前記複数の上りチャネルは複数のＰＵＣＣＨを含み、または、
前記複数の上りチャネルは複数のＰＵＳＣＨを含む。
【０２２０】
ここで、チャネル重複制御ユニットが複数の上りチャネルの送信方式を確定することは、ＰＵＣＣＨにおける上り制御情報ＵＣＩにＨＡＲＱ−ＡＣＫのみが含まれているか否かを確定し、ＵＣＩがＨＡＲＱ−ＡＣＫのみを含み、かつ、ＨＡＲＱ−ＡＣＫの長さが１〜２ビットである場合、送信方式がＨＡＲＱ−ＡＣＫメッセージをＰＵＳＣＨに載せて送信することであることを確定することを含む。
【０２２１】
本開示の実施例において、時間領域において、１つのＰＵＣＣＨおよび１つのＰＵＳＣＨに重複シンボルが存在し、かつ、開始シンボルが異なり、上り制御情報ＵＣＩに１〜２ビットのＨＡＲＱ−ＡＣＫメッセージのみが含まれている場合、送信ユニットは前記ＨＡＲＱ−ＡＣＫメッセージをＰＵＳＣＨに載せて送信する。
【０２２２】
本開示の実施例において、前記ＵＣＩはパンクチャリングの方式でＰＵＳＣＨにおいて送信される。
【０２２３】
好ましくは、チャネル重複制御ユニットが複数の上りチャネルの送信方式を確定することは、ＨＡＲＱ−ＡＣＫメッセージのＰＵＳＣＨでの伝送が占有するリソース数を確定し、ＨＡＲＱ−ＡＣＫメッセージのＰＵＳＣＨでの伝送が占有するリソース数は閾値Ｘ１以下である場合、送信方式がＨＡＲＱ−ＡＣＫメッセージをＰＵＳＣＨに載せて送信することであることを確定し、そうでなければ、送信方式がＨＡＲＱ−ＡＣＫメッセージを上り制御チャネルＰＵＣＣＨに載せて送信することであることを確定することを含む。
【０２２４】
本開示の実施例において、時間領域において、前記１つのＰＵＣＣＨおよび前記１つのＰＵＳＣＨに重複シンボルが存在し、かつ、開始シンボルが異なり、ＵＣＩに１〜２ビットのＨＡＲＱ−ＡＣＫメッセージのみが含まれている場合、前記ＨＡＲＱ−ＡＣＫメッセージのＰＵＳＣＨでの伝送が占有するリソース数は閾値Ｘ１以下である場合、前記ＨＡＲＱ−ＡＣＫメッセージをＰＵＳＣＨに載せて送信し、そうでなければ、前記ＨＡＲＱ−ＡＣＫメッセージを上り制御チャネルＰＵＣＣＨに載せて送信する。
【０２２５】
本開示の実施例において、前記１つのＰＵＣＣＨおよび前記１つのＰＵＳＣＨの開始シンボルが異なり、かつ、ＵＣＩに２ビットよりも大きなＨＡＲＱ−ＡＣＫメッセージのみが含まれている場合、前記ＨＡＲＱ−ＡＣＫメッセージを１ビットまたは２ビットとしてバンドリングしてＰＵＳＣＨに載せて送信し、または、ＰＵＣＣＨを送信し、ＰＵＳＣＨの送信を廃棄する。
【０２２６】
本開示の実施例において、前記１つのＰＵＣＣＨおよび前記１つのＰＵＳＣＨの開始シンボルが異なり、かつ、ＰＵＣＣＨで運ばれるＵＣＩがＨＡＲＱ−ＡＣＫメッセージ、および／またはＣＳＩメッセージ、および／またはＳＲメッセージを同時に含む場合、ＰＵＣＣＨを送信し、ＰＵＳＣＨの送信を廃棄する。
【０２２７】
本開示の実施例において、ＵＣＩをＰＵＳＣＨで送信する場合、ＵＣＩマッピングに使用可能なシンボルは、ＰＵＣＣＨとＰＵＳＣＨとの重複シンボルのうちの非ＤＭＲＳシンボルとして定義される。
【０２２８】
本開示の実施例において、ＵＣＩをＰＵＳＣＨで送信する場合、
前記ＰＵＣＣＨの開始シンボルが前記ＰＵＳＣＨの開始シンボルに等しいか、または前記ＰＵＳＣＨの開始シンボルよりもＸ１個のシンボルだけ早く、Ｘ１は１以上１４よりも小さな整数であるという条件と、
前記ＰＵＣＣＨに含まれる時間領域のシンボル数がＰＵＳＣＨに含まれる時間領域のシンボル数以下であるという条件と、
前記ＰＵＣＣＨとＰＵＳＣＨとの重複シンボル数が１つの予め設定された固定値Ｘ２よりも大きいか、または前記ＰＵＣＣＨとＰＵＳＣＨとの重複シンボルのうちの非ＤＭＲＳシンボルの数が１つの予め設定された固定値Ｘ３よりも大きいという条件と、
前記ＰＵＳＣＨに含まれる時間領域のシンボル数が１つの予め設定された固定値Ｘ４よりも大きいという条件と、
の少なくとも１つをさらに満たすべきである。
【０２２９】
ここで、Ｘ１、Ｘ２、Ｘ３、Ｘ４はいずれも１以上１４よりも小さな整数である。
【０２３０】
本開示の実施例において、前記ＵＣＩメッセージをＰＵＣＣＨで送信する場合、
前記ＰＵＣＣＨに含まれる時間領域のシンボル数がＰＵＳＣＨに含まれる時間領域のシンボル数以下であるという条件と、
前記ＰＵＣＣＨの開始シンボルが前記ＰＵＳＣＨの開始シンボルよりも遅いという条件と、
前記ＰＵＣＣＨに対応するトラフィックタイプが前記ＰＵＳＣＨに対応するトラフィックタイプよりも優先度が高いという条件と、
ＰＵＣＣＨの送信に使用される周波数領域リソースがＰＵＳＣＨの周波数領域リソースまたはＰＵＳＣＨの周波数領域リソースのサブセットであるという条件と、
の少なくとも１つをさらに満たすべきである。
【０２３１】
本開示の実施例において、前記ＰＵＣＣＨの周波数ホッピングがイネーブルされる場合、ＰＵＣＣＨに使用される周波数領域リソースはＰＵＳＣＨの周波数領域リソース内の上下両側のリソースに位置する。
【０２３２】
本開示の実施例において、時間領域において、前記複数のＰＵＣＣＨおよび前記１つのＰＵＳＣＨに重複シンボルが存在し、前記複数のＰＵＣＣＨのうちの少なくとも１つを送信し、ＰＵＳＣＨの送信を廃棄する。
【０２３３】
本開示の実施例において、前記複数のＰＵＣＣＨのうち、少なくとも１つのＰＵＣＣＨのシンボル数はＰＵＳＣＨのシンボル数以下である。
【０２３４】
本開示の実施例において、前記ＰＵＣＣＨベアラ情報に対応するトラフィックタイプは、前記ＰＵＳＣＨベアラ情報に対応するトラフィックタイプよりも優先度が高い。
【０２３５】
以下の例は、ＵＥが１つのＰＵＳＣＨおよび１つのＰＵＣＣＨを送信する応用シーンに適用される。
【０２３６】
ここで、チャネル重複制御ユニットは、ＰＵＳＣＨおよびＰＵＣＣＨのトリガ時間に基づき、ＰＵＳＣＨおよびＰＵＣＣＨの送信方式を確定する。
【０２３７】
本開示の実施例において、ユーザ機器ＵＥは、ｔ１期間に第１トラフィックタイプのＰＵＳＣＨの上りスケジューリングを受信し、ｔ２期間に第２トラフィックタイプのＰＤＳＣＨを受信するまたはｔ２期間に第２トラフィックタイプのＰＤＳＣＨのスケジューリングを受信し、ここで、前記ＰＤＳＣＨに対応するＨＡＲＱ−ＡＣＫメッセージおよび前記上りスケジューリングに対応するＰＵＳＣＨは、いずれもｔｎ期間に送信される必要がある。
【０２３８】
つまり、ＵＥがｔｎ期間に送信する必要のあるＰＵＣＣＨのトリガ時間はｔ１であり、ＰＵＳＣＨのトリガ時間はｔ２である。
【０２３９】
本開示の実施例において、ｔ１期間がｔ２期間の後に位置するまたは両者が等しい場合、ＵＥは、予め設定された第１送信方式に従って、ｔｎ期間にＰＤＳＣＨに対応するＨＡＲＱ−ＡＣＫメッセージおよび前記上りスケジューリングに対応するＰＵＳＣＨを送信する。
【０２４０】
本開示の実施例において、ｔ１期間がｔ２期間の前に位置する場合、ＵＥは、予め設定された第２送信方式に従って、ｔｎ期間にＰＤＳＣＨに対応するＨＡＲＱ−ＡＣＫメッセージおよび前記上りスケジューリングに対応するＰＵＳＣＨを送信する。
【０２４１】
本開示の実施例において、前記第１トラフィックタイプの優先度と前記第２トラフィックタイプの優先度とは異なる。
【０２４２】
本開示の実施例において、チャネル重複制御ユニットによって確定された第１送信方式は、
前記ＨＡＲＱ−ＡＣＫメッセージを、パンクチャリングの方式で前記第１トラフィックタイプの上りデータに多重化する方式１、または、
前記ＨＡＲＱ−ＡＣＫメッセージを、レートマッチングの方式で前記第１トラフィックタイプの上りデータに多重化する方式２、
少なくとも１種を含む。
【０２４３】
本開示の実施例において、前記第１送信方式は方式１および方式２を含み、
ＨＡＲＱ−ＡＣＫメッセージが１〜２ビットのメッセージである場合、方式１を用いて伝送し、
ＨＡＲＱ−ＡＣＫメッセージが２ビットよりも大きなメッセージである場合、方式２を用いて伝送する。
【０２４４】
本開示の実施例において、チャネル重複制御ユニットによって確定された第２送信方式は、
前記ＨＡＲＱ−ＡＣＫメッセージと前記第１トラフィックタイプの上りデータとの重複シンボルで、前記ＨＡＲＱ−ＡＣＫメッセージを送信し、前記重複シンボルにおける第１トラフィックタイプの上りデータを廃棄することを含む。
【０２４５】
本開示の実施例において、時間領域において、１つのＰＵＳＣＨおよび２つのＰＵＣＣＨに重複シンボルが存在し、前記少なくとも１つのＰＵＣＣＨにおけるＵＣＩはＰＵＳＣＨで運ばれる。
【０２４６】
本開示の実施例において、ＰＵＳＣＨ領域を２つの領域に分け、第１領域および第２領域と定義し、２つのＰＵＣＣＨで運ばれるＵＣＩを、それぞれＰＵＳＣＨの２つの領域内に多重化して送信する。
【０２４７】
本開示の実施例において、第１および第２領域内で第１予め定義されたリソースおよび第２予め定義されたリソースをそれぞれ定義し、第１予め定義されたリソースは１または２ビットのＵＣＩによって決定され、第２予め定義されたリソースは２ビットのＵＣＩによって決定される。
【０２４８】
本開示の実施例において、ＰＵＳＣＨで予め定義されたリソースを定義し、ここで、予め定義されたリソースはＮビットのＵＣＩによって決定される。ここで、Ｎ＝２またはＮ＝３またはＮ＝４である。
【０２４９】
本開示の実施例において、前記Ｎは、
Ｎ＝２である場合、そのうちの１ビットが第１トラフィックタイプのＨＡＲＱ−ＡＣＫで、１ビットが第２トラフィックタイプのＨＡＲＱ−ＡＣＫであり、または、２ビットがいずれも第１トラフィックタイプのＨＡＲＱ−ＡＣＫであることと、
Ｎ＝３である場合、そのうちの１ビットが第１トラフィックタイプのＨＡＲＱ−ＡＣＫで、２ビットが第２トラフィックタイプのＨＡＲＱ−ＡＣＫであり、または、前記Ｎ＝２であり、２ビットが第１トラフィックタイプのＨＡＲＱ−ＡＣＫで、１ビットが第２トラフィックタイプのＨＡＲＱ−ＡＣＫであることと、
Ｎ＝４である場合、そのうちの２ビットが第１トラフィックタイプのＨＡＲＱ−ＡＣＫで、２ビットが第２トラフィックタイプのＨＡＲＱ−ＡＣＫであることと、
の少なくとも１つを満たすべきである。
【０２５０】
ここで、第１トラフィックタイプは、第２トラフィックタイプよりも優先度が高い。
【０２５１】
本開示の実施例において、前記ＰＵＣＣＨで運ばれるＵＣＩに対応するトラフィックタイプは異なる。
【０２５２】
上記実施例と同じまたは類似する概念に基づき、本開示の実施例は、本開示の実施例に係るいずれかの信号伝送装置を備える端末を更に提供する。
【０２５３】
上記実施例と同じまたは類似する概念に基づき、本開示の実施例は、メモリ、プロセッサ、および前記メモリに記憶されて前記プロセッサで実行可能なコンピュータプログラムを備える端末であって、前記プロセッサによって前記コンピュータプログラムが実行されると、本開示の実施例に係るいずれかの信号伝送方法の処理が実現される端末を更に提供する。
【０２５４】
上記実施例と同じまたは類似する概念に基づき、本開示の実施例は、プロセッサによって実行されると、本開示の実施例に係るいずれかの信号伝送方法の処理を実現するコンピュータプログラムが記憶されているコンピュータ可読記憶媒体を更に提供する。
【０２５５】
なお、上述の実施例は、当業者が理解しやすいためのものに過ぎず、本開示の保護範囲を限定するものではなく、本開示の発明要旨を逸脱しない前提で、当業者が本開示に対して行ったいかなる明らかな置換および改良等は、全て本開示の保護範囲内に含まれる。
【産業上の利用可能性】
【０２５６】
本開示の実施例に係る技術案は、時間領域において、複数の上りチャネルに重複シンボルが存在する場合、ユーザ機器ＵＥが複数の上りチャネルの送信方式を確定し、確定した送信方式に従って、上りチャネルで運ばれる上り信号を送信することによって、様々な優先度のトラフィック信号を同時に送信する場合の多重化態様を提供し、低遅延および高信頼性が求められる情報の遅延および信頼性指標を改善することができる。
【図１】
2021524194.tif 000023
【図２Ａ】
2021524194.tif 000024
【図２Ｂ】
2021524194.tif 000025
【図３】
2021524194.tif 000026
【図４】
2021524194.tif 000027
【図５Ａ】
2021524194.tif 000028
【図５Ｂ】
2021524194.tif 000029
【図５Ｃ】
2021524194.tif 000030
【図５Ｄ】
2021524194.tif 000031
【図６】
2021524194.tif 000032
【図７Ａ】
2021524194.tif 000033
【図７Ｂ】
2021524194.tif 000034
【図７Ｃ】
2021524194.tif 000035
【図８】
2021524194.tif 000036
【図９】
2021524194.tif 000037
【図１０】
2021524194.tif 000038
【図１１】
2021524194.tif 000039
【図１２】
2021524194.tif 000040
【図１３】
2021524194.tif 000041
【図１４】
2021524194.tif 000042
【図１５】
2021524194.tif 000043
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
時間領域において、複数の上りチャネルに重複シンボルが存在する場合、ユーザ機器ＵＥは、複数の上りチャネルの送信方式を確定することと、
確定した送信方式に従って、上りチャネルで運ばれる上り信号を送信することとを含む、
信号伝送方法。
【請求項２】
上りチャネルの開始シンボル時間と、
上りチャネル数と、
上りチャネルベアラ情報に対応するトラフィックタイプと、
上りチャネルベアラ情報のビット数と、
上りチャネルベアラ情報の時間領域の長さと、
上りチャネルベアラ情報のトリガ時間と、
の少なくとも１種に基づき、前記複数の上りチャネルの送信方式を確定する、
請求項１に記載の信号伝送方法。
【請求項３】
前記複数の上りチャネルは、少なくとも１つの上り制御チャネルＰＵＣＣＨおよび少なくとも１つの上りデータチャネルＰＵＳＣＨを含み、または、
前記複数の上りチャネルは複数のＰＵＣＣＨを含み、または、
前記複数の上りチャネルは複数のＰＵＳＣＨを含む、
請求項１に記載の信号伝送方法。
【請求項４】
前記複数の上りチャネルは、１つのＰＵＣＣＨおよび１つのＰＵＳＣＨを含み、
時間領域において、前記１つのＰＵＣＣＨおよび前記１つのＰＵＳＣＨに重複シンボルが存在し、かつ、開始シンボルが異なり、上り制御情報ＵＣＩに１〜２ビットのＨＡＲＱ−ＡＣＫメッセージのみが含まれている場合、前記ＨＡＲＱ−ＡＣＫメッセージをＰＵＳＣＨに載せて送信する、
請求項３に記載の信号伝送方法。
【請求項５】
前記ＵＣＩはパンクチャリングの方式でＰＵＳＣＨにおいて送信される、
請求項４に記載の信号伝送方法。
【請求項６】
前記複数の上りチャネルは１つのＰＵＣＣＨおよび１つのＰＵＳＣＨを含み、時間領域において、前記１つのＰＵＣＣＨおよび前記１つのＰＵＳＣＨに重複シンボルが存在し、かつ、開始シンボルが異なり、ＵＣＩに１〜２ビットのＨＡＲＱ−ＡＣＫメッセージのみが含まれている場合、前記ＨＡＲＱ−ＡＣＫメッセージのＰＵＳＣＨでの伝送が占有するリソース数は閾値Ｘ１以下である場合、前記ＨＡＲＱ−ＡＣＫメッセージをＰＵＳＣＨに載せて送信し、そうでなければ、前記ＨＡＲＱ−ＡＣＫメッセージを上り制御チャネルＰＵＣＣＨに載せて送信する、
請求項３に記載の信号伝送方法。
【請求項７】
前記複数の上りチャネルは１つのＰＵＣＣＨおよび１つのＰＵＳＣＨを含み、前記１つのＰＵＣＣＨおよび前記１つのＰＵＳＣＨの開始シンボルが異なり、かつ、ＰＵＣＣＨで運ばれるＵＣＩがＨＡＲＱ−ＡＣＫメッセージ、および／またはＣＳＩメッセージ、および／またはＳＲメッセージを同時に含む場合、ＰＵＣＣＨを送信し、ＰＵＳＣＨの送信を廃棄する、
請求項３に記載の信号伝送方法。
【請求項８】
ＵＣＩをＰＵＳＣＨで送信する場合、ＵＣＩマッピングに使用可能なシンボルは、ＰＵＣＣＨとＰＵＳＣＨとの重複シンボルのうちの非ＤＭＲＳシンボルとして定義される、
請求項４または６に記載の信号伝送方法。
【請求項９】
ＵＣＩをＰＵＳＣＨで送信する場合、
前記ＰＵＣＣＨの開始シンボルが前記ＰＵＳＣＨの開始シンボルに等しいか、または前記ＰＵＳＣＨの開始シンボルよりもＸ１個のシンボルだけ早く、Ｘ１は１以上１４よりも小さな整数であるという条件と、
前記ＰＵＣＣＨに含まれる時間領域のシンボル数がＰＵＳＣＨに含まれる時間領域のシンボル数以下であるという条件と、
前記ＰＵＣＣＨとＰＵＳＣＨとの重複シンボル数が１つの予め設定された固定値Ｘ２よりも大きいか、または前記ＰＵＣＣＨとＰＵＳＣＨとの重複シンボルのうちの非ＤＭＲＳシンボルの数が１つの予め設定された固定値Ｘ３よりも大きいという条件と、
前記ＰＵＳＣＨに含まれる時間領域のシンボル数が１つの予め設定された固定値Ｘ４よりも大きいという条件と、
の少なくとも１つをさらに満たすべきであり、
Ｘ１、Ｘ２、Ｘ３、Ｘ４はいずれも１以上１４よりも小さい整数である、
請求項４または６に記載の信号伝送方法。
【請求項１０】
前記ＵＣＩメッセージをＰＵＣＣＨで送信する場合、
前記ＰＵＣＣＨに含まれる時間領域のシンボル数がＰＵＳＣＨに含まれる時間領域のシンボル数以下であるという条件と、
前記ＰＵＣＣＨの開始シンボルが前記ＰＵＳＣＨの開始シンボルよりも遅いという条件と、
前記ＰＵＣＣＨに対応するトラフィックタイプが前記ＰＵＳＣＨに対応するトラフィックタイプよりも優先度が高いという条件と、
ＰＵＣＣＨの送信に使用される周波数領域リソースがＰＵＳＣＨの周波数領域リソースまたはＰＵＳＣＨの周波数領域リソースのサブセットであるという条件と、
の少なくとも１つをさらに満たすべきである、
請求項６または７に記載の信号伝送方法。
【請求項１１】
前記ＰＵＣＣＨの周波数ホッピングがイネーブルされる場合、ＰＵＣＣＨに使用される周波数領域リソースはＰＵＳＣＨの周波数領域リソース内の上下両側のリソースに位置する、
請求項１０に記載の信号伝送方法。
【請求項１２】
前記ＰＵＣＣＨのベアラ情報に対応するトラフィックタイプは、前記ＰＵＳＣＨのベアラ情報に対応するトラフィックタイプよりも優先度が高い、
請求項４、６、７のいずれか１項に記載の信号伝送方法。
【請求項１３】
時間領域において、１つのＰＵＳＣＨおよび２つのＰＵＣＣＨに重複シンボルが存在し、少なくとも１つのＰＵＣＣＨにおけるＵＣＩはＰＵＳＣＨで運ばれ、
ＰＵＳＣＨ領域を２つの領域に分け、第１領域および第２領域と定義し、２つのＰＵＣＣＨで運ばれるＵＣＩを、それぞれＰＵＳＣＨの２つの領域内に多重化して送信し、
第１および第２領域内で第１予め定義されたリソースおよび第２予め定義されたリソースをそれぞれ定義し、第１予め定義されたリソースは１または２ビットのＵＣＩによって決定され、第２予め定義されたリソースは２ビットのＵＣＩによって決定される、
請求項１に記載の信号伝送方法。
【請求項１４】
ＰＵＳＣＨで予め定義されたリソースを定義し、予め定義されたリソースはＮビットのＵＣＩによって決定され、Ｎ＝２またはＮ＝３またはＮ＝４であり、
前記Ｎは、
Ｎ＝２である場合、そのうちの１ビットが第１トラフィックタイプのＨＡＲＱ−ＡＣＫで、１ビットが第２トラフィックタイプのＨＡＲＱ−ＡＣＫであり、または、２ビットがいずれも第１トラフィックタイプのＨＡＲＱ−ＡＣＫであることと、
Ｎ＝３である場合、そのうちの１ビットが第１トラフィックタイプのＨＡＲＱ−ＡＣＫで、２ビットが第２トラフィックタイプのＨＡＲＱ−ＡＣＫであり、または、前記Ｎ＝３であり、２ビットが第１トラフィックタイプのＨＡＲＱ−ＡＣＫで、１ビットが第２トラフィックタイプのＨＡＲＱ−ＡＣＫであることと、
Ｎ＝４である場合、そのうちの２ビットが第１トラフィックタイプのＨＡＲＱ−ＡＣＫで、２ビットが第２トラフィックタイプのＨＡＲＱ−ＡＣＫであることと、
の少なくとも１つを満たすべきであり、
第１トラフィックタイプは、第２トラフィックタイプよりも優先度が高い、
請求項１３に記載の信号伝送方法。
【請求項１５】
メモリ、プロセッサ、および前記メモリに記憶されて前記プロセッサで実行可能なコンピュータプログラムを備え、
前記プロセッサによって前記コンピュータプログラムが実行されると、請求項１〜１４のいずれか１項に記載の方法の処理が実現される、
端末。
【手続補正２】
【補正対象書類名】明細書
【補正対象項目名】００１４
【補正方法】変更
【補正の内容】
【００１４】
【図１】本開示の実施例に係る信号伝送方法のフローチャートである。
【図２】図２Ａは本開示の実施例に係る端末がｅＭＢＢ  ＰＵＳＣＨとＵＲＬＬＣ  ＨＡＲＱ−ＡＣＫとを同時に送信する場合の模式図であり、図２Ｂは本開示の実施例に係る端末がｅＭＢＢ  ＰＵＳＣＨとＵＲＬＬＣ  ＨＡＲＱ−ＡＣＫとを同時に送信する場合の模式図である。
【図３】本開示の実施例に係る端末がｅＭＢＢ  ＰＵＳＣＨとｅＭＢＢ  ＨＡＲＱ−ＡＣＫとＵＲＬＬＣ  ＨＡＲＱ−ＡＣＫとを同時に送信する場合の模式図である。
【図４】本開示の実施例に係る端末がｅＭＢＢ  ＰＵＳＣＨとｅＭＢＢ  ＨＡＲＱ−ＡＣＫとＵＲＬＬＣ  ＨＡＲＱ−ＡＣＫとを同時に送信する場合の模式図である。
【図５】図５Ａ、図５Ｂ、図５Ｃおよび図５Ｄはそれぞれ本開示の実施例に係る端末がＰＵＳＣＨとＰＵＣＣＨとを同時に送信する模式図である。
【図６】本開示の実施例に係る別の端末がＰＵＳＣＨとＰＵＣＣＨとを同時に送信する模式図である。
【図７】図７Ａ、図７Ｂおよび図７Ｃはそれぞれ本開示の実施例に係る端末がＰＵＳＣＨとＰＵＣＣＨとを同時に送信する模式図である。
【図８】本開示の実施例に係る端末がＰＵＳＣＨとＰＵＣＣＨとを同時に送信する模式図である。
【図９】本開示の実施例に係る端末がｅＭＢＢ  ＰＵＳＣＨとｅＭＢＢ  ＰＵＣＣＨとＵＲＬＬＣ  ＰＵＣＣＨとを同時に送信する模式図である。
【図１０】本開示の実施例に係る端末がｅＭＢＢ  ＰＵＣＣＨとＵＲＬＬＣ  ＰＵＳＣＨとを同時に送信する模式図である。
【図１１】２つのＰＵＣＣＨの送信が時間領域において衝突する模式図である。
【図１２】本開示の実施例に係る１ｍｓのＰＵＣＣＨ／ＰＵＳＣＨの繰り返しおよび複数グループのｓｕｂｓｌｏｔ  ＰＵＣＣＨの模式図である。
【図１３】本開示の実施例に係る１ｍｓのＰＵＣＣＨの繰り返しと複数グループのｓｕｂｓｌｏｔ  ＰＵＣＣＨの繰り返しとが衝突する模式図である。
【図１４】本開示の実施例に係る１ｍｓのＰＵＣＣＨ／ＰＵＳＣＨとｓｕｂｓｌｏｔ  ＰＵＣＣＨの繰り返しとが衝突する模式図である。
【図１５】本開示の実施例に係る１ｍｓのＰＵＣＣＨの繰り返しとＳＰＵＣＣＨ／ＳＰＵＳＣＨとが衝突するインスタンスで、上位層が廃棄したパラメータが２である模式図である。
【手続補正３】
【補正対象書類名】明細書
【補正対象項目名】０１６６
【補正方法】変更
【補正の内容】
【０１６６】
前記Ｎ＝３であり、ここで、１ビットはＵＲＬＬＣ  ＨＡＲＱ−ＡＣＫで、２ビットはｅＭＢＢ  ＨＡＲＱ−ＡＣＫであり、または、前記Ｎ＝３であり、２ビットはＵＲＬＬＣ  ＨＡＲＱ−ＡＣＫで、１ビットはｅＭＢＢ  ＨＡＲＱ−ＡＣＫである。
【国際調査報告】
2021524194.tif 000044
2021524194.tif 000045
2021524194.tif 000046
2021524194.tif 000047